(57)【要約】  本願は、測定報告方法、端末装置及びネットワーク装置を開示し、上記方法は、測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定するステップと、測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップと、上記少なくとも１つの測定報告を送信するステップとを含む。
2021519001.tif 000002
【特許請求の範囲】
【請求項１】
端末装置に応用される測定報告方法であって、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定するステップと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップと、  
前記少なくとも１つの測定報告を送信するステップとを含む、測定報告方法。
【請求項２】
前記測定報告の内容情報は、測定報告の内容タイプを少なくとも含み、
前記内容タイプは、
チャネル状態情報参照信号ＣＳＩ−ＲＳ又は／及び同期信号ブロックＳＳＢ測定に基づくビーム報告、及び
ＣＳＩ−ＲＳ測定に基づくチャネル状態情報ＣＳＩ報告のうちの少なくとも１つを少なくとも含む、請求項１に記載の方法。
【請求項３】
前記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
前記参照信号リソース関連情報において設定された参照信号リソース設定ＲＳ  ｒｅｓｏｕｒｃｅ  ｓｅｔｔｉｎｇ又は参照信号リソースセットＲＳ  ｒｅｓｏｕｒｃｅ  ｓｅｔの時間領域送信方式が周期的又は半永続的である場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することを含む、請求項２に記載の方法。
【請求項４】
前記測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成するステップは、
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳの測定結果に基づいて少なくとも１つの最適なビームのＣＲＩ及びＲＳＲＰを選択してビーム報告を生成すること、
ＲＳ  ｒｅｓｏｕｒｃｅ  ｓｅｔｔｉｎｇ又は／及びＲＳ  ｒｅｓｏｕｒｃｅ  ｓｅｔにおけるＳＳＢの測定結果に基づいて少なくとも１つの最適なビームのＳＳＢＲＩ及びＲＳＲＰを選択してビーム報告を生成すること、
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳの測定結果に基づいてチャネル品質指標ＣＱＩ、プリコード化マトリクス指標ＰＭＩ、ランク指標ＲＩのうちの少なくとも１種を選択してＣＳＩ報告を生成すること、又は
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳ及びＳＳＢの測定結果に基づいて共同測定結果を生成し、且つ共同測定結果に基づいてビーム報告を生成することのうちの少なくとも１つを含む、請求項３に記載の方法。
【請求項５】
前記ネットワーク装置のダウンリンク測定設定に基づいて、対応する参照信号を測定するステップは、
前記参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的であり、且つ参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔを測定するようにトリガーするための第１のダウンリンク制御情報ＤＣＩをネットワーク装置から受信した場合、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定することを含む、請求項１に記載の方法。
【請求項６】
前記ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、前記方法は、
第１のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳであり、且つ第２のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＳＳＢである場合、第１及び第２のＲＳｒｅｓｏｕｒｃｅ  ｓｅｔｔｉｎｇ又はＲＳｒｅｓｏｕｒｃｅ  ｓｅｔに対して対応するＣＳＩ−ＲＳ測定及びＳＳＢ測定を行った後に生成された共同測定結果を決定するステップ、又は
第３のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳ及びＳＳＢを含む場合、第３のＲＳ  ｒｅｓｏｕｒｃｅ  ｓｅｔｔｉｎｇ又はＲＳ  ｒｅｓｏｕｒｃｅ  ｓｅｔに対して対応するＣＳＩ−ＲＳ測定及びＳＳＢ測定を行った後に生成された共同測定結果を決定するステップをさらに含む、請求項５に記載の方法。
【請求項７】
前記ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、前記方法は、
前記測定報告の内容情報において設定された測定報告の内容タイプがビーム報告であり、且つ設定された前記ビーム報告における報告内容がＳＳＢＲＩ及び対応するＲＳＲＰである場合、ＲＳ  ｒｅｓｏｕｒｃｅ  ｓｅｔｔｉｎｇ又はＲＳ  ｒｅｓｏｕｒｃｅ  ｓｅｔにおけるＳＳＢ及びＣＳＩ−ＲＳの測定結果を共同計算するステップをさらに含む、請求項５に記載の方法。
【請求項８】
前記共同計算を行うＳＳＢとＣＳＩ−ＲＳは、空間的疑似コロケーション関係を有する、請求項７に記載の方法。
【請求項９】
前記ＣＳＩ−ＲＳ測定及びＳＳＢ測定を行った後に生成された共同測定結果を決定するステップは、
ＣＳＩ−ＲＳ測定及びＳＳＢ測定を行った後の各ＲＳＲＰの最大値又は統計的平均値を決定することと、
前記最大値又は統計的平均値に対応する、ＣＲＩ及び／又はＳＳＢＲＩを含む参照信号リソースインデックスＲＳ  ｒｅｓｏｕｒｃｅ  ｉｎｄｅｘを決定することと、
決定された前記ＲＳ  ｒｅｓｏｕｒｃｅ  ｉｎｄｅｘと前記ＲＳ  ｒｅｓｏｕｒｃｅ  ｉｎｄｅｘに対応するＲＳＲＰとを共同測定結果とすることとを含む、請求項６に記載の方法。
【請求項１０】
前記共同測定結果を生成するための第１、第２及び／又は第３のＲＳ  ｒｅｓｏｕｒｃｅ  ｓｅｔｔｉｎｇ又はＲＳ  ｒｅｓｏｕｒｃｅ  ｓｅｔは、
ネットワーク装置から受信した設定情報により決定される方式、
端末装置によりプリセットした方式で選択して決定される方式、又は
ネットワーク装置との間の約束情報により決定される方式のうちの１つにより決定される、請求項６に記載の方法。
【請求項１１】
前記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
少なくとも１つの報告設定ｒｅｐｏｒｔ  ｓｅｔｔｉｎｇをトリガーする第２のダウンリンク制御情報ＤＣＩをネットワーク装置から受信した場合、測定報告の内容情報、測定された参照信号リソース関連情報、及び参照信号リソースと測定報告との関連関係情報のうちの少なくとも１種に基づいて、前記測定結果に対する順序付け方式を決定することと、
前記順序付け方式により測定結果を順序付けすることと、
順序付けされた測定結果に基づいて測定報告を生成することとを含む、請求項５に記載の方法。
【請求項１２】
前記順序付け方式は、
参照信号リソースと測定報告との関連関係情報におけるｒｅｐｏｒｔ  ｓｅｔｔｉｎｇが関連した１つ以上のＲＳ  ｒｅｓｏｕｒｃｅ  ｓｅｔｔｉｎｇ又は／及びＲＳ  ｒｅｓｏｕｒｃｅ  ｓｅｔの順位付け方式を含む、請求項１１に記載の方法。
【請求項１３】
前記測定結果に対する順序付け方式を決定するステップは、
ネットワーク装置から受信した順序付け情報に基づいて前記順位付け方式を決定すること、又は
ネットワーク装置との間で約束された順序付け情報に基づいて前記順位付け方式を決定すること、又は
予め記憶された順序付け情報に基づいて前記順序付け方式を決定することを含む、請求項１１に記載の方法。
【請求項１４】
前記第２のダウンリンク制御情報ＤＣＩは、前記第１のダウンリンク制御情報ＤＣＩと同じである、請求項１１に記載の方法。
【請求項１５】
前記順序付け方式は、報告設定インデックスｒｅｐｏｒｔ  ｓｅｔｔｉｎｇ  ｉｎｄｅｘ、参照信号リソース設定インデックスＲＳ  ｒｅｓｏｕｒｃｅ  ｓｅｔｔｉｎｇ  ｉｎｄｅｘ、測定報告の内容情報により決定された測定報告内容タイプ、参照信号リソースセットインデックスＲＳ  ｒｅｓｏｕｒｃｅ  ｓｅｔ  ｉｎｄｅｘ、ＲＳ  ｒｅｓｏｕｒｃｅ  ｓｅｔｔｉｎｇにおける参照信号タイプＲＳ  ｔｙｐｅ、ＲＳ  ｒｅｓｏｕｒｃｅ  ｓｅｔにおけるＲＳ  ｔｙｐｅのうちの少なくとも１種に基づいて順序付けすることを含む、請求項１１に記載の方法。
【請求項１６】
前記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
少なくとも１つの報告設定ｒｅｐｏｒｔ  ｓｅｔｔｉｎｇをトリガーする第３のダウンリンク制御情報ＤＣＩをネットワーク装置から受信した場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することを含む、請求項５に記載の方法。
【請求項１７】
前記第３のダウンリンク制御情報ＤＣＩは、前記第１のダウンリンク制御情報ＤＣＩと同じである、請求項１６に記載の方法。
【請求項１８】
前記少なくとも１つの測定報告を送信する前に、前記方法は、
前記少なくとも１つの測定報告の大きさがアップリンクチャネルの搬送能力を超えた場合、所定のルールに従って一部の測定報告における報告内容を廃棄するステップをさらに含む、請求項１〜１７のいずれか１項に記載の方法。
【請求項１９】
前記所定のルールに従って一部の測定報告における報告内容を廃棄する前に、前記方法は、
ネットワーク装置から受信したルール情報に基づいて前記所定のルールを決定するステップ、又は
ネットワーク装置との間で約束されたルール情報に基づいて前記所定のルールを決定するステップ、又は
予め記憶されたルール情報に基づいて前記所定のルールを決定するステップをさらに含む、請求項１８に記載の方法。
【請求項２０】
前記所定のルールに従って一部の測定報告における報告内容を廃棄するステップは、
前記報告内容の優先度又は配列順序により一部の測定報告における報告内容を廃棄することを含む、請求項１８に記載の方法。
【請求項２１】
ネットワーク装置に応用される測定報告方法であって、
測定報告の内容情報、測定された参照信号リソース関連情報、及び参照信号リソースと測定報告との関連関係情報を少なくとも含む、対応する参照信号を測定するためのダウンリンク測定設定を送信するステップを含む測定報告方法。
【請求項２２】
前記参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的である場合、参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定するように端末装置をトリガーするための第１のダウンリンク制御情報ＤＣＩを送信するステップをさらに含む、請求項２１に記載の方法。
【請求項２３】
端末装置に測定報告の内容情報、測定された参照信号リソース関連情報、及び参照信号リソースと測定報告との関連関係情報のうちの少なくとも１種に基づいて、前記測定結果に対する順序付け方式を決定させるための、少なくとも１つの報告設定ｒｅｐｏｒｔ  ｓｅｔｔｉｎｇをトリガーする第２のダウンリンク制御情報ＤＣＩを送信するステップをさらに含む、請求項２２に記載の方法。
【請求項２４】
端末装置に前記順序付け方式を決定させる順序付け情報を送信するステップをさらに含む、請求項２３に記載の方法。
【請求項２５】
端末装置に測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成させるための、少なくとも１つの報告設定ｒｅｐｏｒｔ  ｓｅｔｔｉｎｇをトリガーする第３のダウンリンク制御情報ＤＣＩを送信するステップをさらに含む、請求項２２に記載の方法。
【請求項２６】
生成した少なくとも１つの測定報告の大きさがアップリンクチャネルの搬送能力を超えた場合、端末装置に一部の測定報告における報告内容を廃棄させるルール情報を送信するステップをさらに含む、請求項２１に記載の方法。
【請求項２７】
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定する測定モジュールと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成する生成モジュールと、
前記少なくとも１つの測定報告を送信する報告送信モジュールと、を含む端末装置。
【請求項２８】
測定報告の内容情報、測定された参照信号リソース関連情報、及び参照信号リソースと測定報告との関連関係情報を少なくとも含む、対応する参照信号を測定するためのダウンリンク測定設定を送信する送信モジュールを含むネットワーク装置。
【請求項２９】
メモリと、プロセッサと、前記メモリに記憶され前記プロセッサ上で実行でき、前記プロセッサにより実行されると、請求項１〜２０のいずれか１項に記載の測定報告方法のステップを実現するコンピュータプログラムと、を含む端末装置。
【請求項３０】
プロセッサにより実行されると、請求項１〜２０のいずれか１項に記載の測定報告方法のステップを実現するコンピュータプログラムが記憶されているコンピュータ可読記憶媒体。
【請求項３１】
メモリと、プロセッサと、前記メモリに記憶され前記プロセッサ上で実行でき、前記プロセッサにより実行されると、請求項２１〜２６のいずれか１項に記載の測定報告方法のステップを実現するコンピュータプログラムと、を含むネットワーク装置。
【請求項３２】
プロセッサにより実行されると、請求項２１〜２６のいずれか１項に記載の測定報告方法のステップを実現するコンピュータプログラムが記憶されているコンピュータ可読記憶媒体。
【発明の詳細な説明】
【技術分野】
【０００１】
関連出願の相互参照
本願は、２０１８年１月１２日に提出された中国特許出願第２０１８１００３２６４８．５号の優先権を主張するものであり、その全ての内容は参照により本願に組み込まれるものとする。
【０００２】
本開示は、通信の分野に関し、特に測定報告方法、端末装置及びネットワーク装置に関する。
【背景技術】
【０００３】
ロングタームエボリューション（Ｌｏｎｇ  Ｔｅｒｍ  Ｅｖｏｌｕｔｉｏｎ、ＬＴＥ）及びアドバンストＬＴＥ（ＬＴＥ−Ａｄｖａｎｃｅｄ、ＬＴＥ−Ａ）における無線アクセス技術標準は、マルチ入力マルチ出力（Ｍｕｌｔｉｐｌｅ  −  Ｉｎｐｕｔ  Ｍｕｌｔｉｐｌｅ−Ｏｕｔｐｕｔ、ＭＩＭＯ）及び直交周波数分割多重技術（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）をベースとして構築される。ＭＩＭＯ技術は、マルチアンテナシステムで得られる空間自由度を利用して、ピークレートとシステムスペクトル効率を向上させる。
【０００４】
ＭＩＭＯ技術の三次元化と大規模化への推進に伴い、次世代移動通信システム（５Ｇ通信システム）は、大規模（Ｍａｓｓｉｖｅ）ＭＩＭＯ技術を用いて実現される。Ｍａｓｓｉｖｅ  ＭＩＭＯ技術は、大規模アンテナアレイを用いることで、システムスペクトル効率を大幅に向上させ、より多くのアクセスユーザをサポートすることができる。Ｍａｓｓｉｖｅ  ＭＩＭＯ技術では、フルデジタルアレイを用いると、最大化の空間分解能及び最適なマルチユーザマルチ入力マルチ出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＭＵ−ＭＩＭＯ）性能を実現することができるが、このような構造は大量のＡＤ／ＤＡコンバータ及び大量の完全な無線周波数ベースバンド処理チャネルを必要とし、装置コストもベースバンド処理複雑度も大きな負担となる。したがって、従来のデジタルドメインビームフォーミングを基礎として、アンテナシステムに近いフロントエンドで送信した無線周波数信号に１段ビームフォーミングを追加するデジタルアナログ混合ビームフォーミング技術が登場した。アナログビームフォーミングは、簡単な方式で、送信信号とチャネルとの大まかなマッチングを実現することができる。アナログビームフォーミング後に形成される等価チャネルの次元は、実際のアンテナ数より小さいため、その後に必要なＡＤ／ＤＡコンバータ、デジタルチャネル数及び対応するベースバンド処理複雑度がいずれも大幅に低下することができる。
【０００５】
５Ｇ通信システムでは、アナログビームフォーミングがフルバンド送信であり、各高周波アンテナアレイのパネル上の各分極方向アレイ素子は、時分割多重方式のみでアナログビームを送信することができる。アナログビームのフォーミング重みは、無線周波数フロントエンド移相器等の装置のパラメータを調整することにより実現される。従来技術において一般的にポーリングという方式でアナログビームフォーミングベクトルのトレーニングを行い、即ち、各アンテナパネル上の各分極方向のアレイ素子は、時分割多重方式で所定の時間にトレーニング信号（候補のフォーミングベクトル）を順次送信し、端末は、測定後に基地局にビーム報告をフィードバックすることにより、基地局がサービスを次回伝送する時に該トレーニング信号を用いてアナログビーム送出を実現する。
【０００６】
ビーム報告は、基地局がトレーニング信号を選択する重要な根拠である。ネットワーク側は、上位層シグナリングによりユーザ機器（ＵＥ、Ｕｓｅｒ  Ｅｑｕｉｐｍｅｎｔ）にビーム報告（ｂｅａｍ  ｒｅｐｏｒｔｉｎｇ）の設定情報（ｒｅｐｏｒｔｉｎｇ  ｓｅｔｔｉｎｇ）を設定し、設定情報は、ビーム報告の内容情報、ビーム報告の時間領域関連メッセージ（周期的、非周期的、半永続的）、ビーム報告の周波数粒度（ｆｒｅｑｕｅｎｃｙ  ｇｒａｎｕｌａｒｉｔｙ）情報等を含む。ビーム報告における内容情報は、ＵＥが選択した少なくとも１つの最適な送信ビーム識別情報、ＵＥが選択したビームの物理層測定結果（例えば、Ｌ１−ＲＳＲＰ）、ＵＥが選択したビームのグループ情報等を含んでよい。
【０００７】
ビーム報告は、測定報告の１種であり、その他、ＵＥは、チャネル状態情報（Ｃｈａｎｎｅｌ  Ｓｔａｔｅ  Ｉｎｆｏｒｍａｔｉｏｎ、ＣＳＩ）報告等の多種類の測定報告を生成することができる。関連技術によれば、ＵＥが測定報告を生成するとき、測定報告の内容に何かのルールがなく、測定報告をアップロードするか否かを決定できず、ＵＥが測定報告を生成する場合及び測定報告をアップロードする場合における曖昧性の問題が存在する。
【発明の概要】
【課題を解決するための手段】
【０００８】
第１の態様は、端末装置に適用され測定報告方法を提供し、上記方法は、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定するステップと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップと、
前記少なくとも１つの測定報告を送信するステップとを含む。
【０００９】
第２の態様は、ネットワーク装置に適用され測定報告方法を提供し、上記方法は、
測定報告の内容情報、測定された参照信号リソース関連情報、及び参照信号リソースと測定報告との関連関係情報を少なくとも含む、対応する参照信号を測定するためのダウンリンク測定設定を送信するステップを含む。
【００１０】
第３の態様は、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定する測定モジュールと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成する生成モジュールと、
前記少なくとも１つの測定報告を送信する報告送信モジュールと、を含む端末装置を提供する。
【００１１】
第４の態様は、
測定報告の内容情報、測定された参照信号リソース関連情報、及び参照信号リソースと測定報告との関連関係情報を少なくとも含む、対応する参照信号を測定するためのダウンリンク測定設定を送信する送信モジュールを含む、ネットワーク装置を提供する。
【００１２】
第５の態様は、メモリと、プロセッサと、前記メモリに記憶され前記プロセッサ上で実行でき、前記プロセッサにより実行されると、第１の態様に記載の測定報告方法のステップを実現するコンピュータプログラムと、を含む端末装置を提供する。
【００１３】
第６の態様は、プロセッサにより実行されると、第１の態様に記載の測定報告方法のステップを実現するコンピュータプログラムが記憶されているコンピュータ可読記憶媒体を提供する。
【００１４】
第７の態様は、メモリと、プロセッサと、前記メモリに記憶され前記プロセッサ上で実行でき、前記プロセッサにより実行されると、第２の態様に記載の測定報告方法のステップを実現するコンピュータプログラムと、を含むネットワーク装置を提供する。
【００１５】
第８の態様は、プロセッサにより実行されると、第２の態様に記載の測定報告方法のステップを実現するコンピュータプログラムが記憶されているコンピュータ可読記憶媒体を提供する。
【図面の簡単な説明】
【００１６】
ここで説明される図面は、本開示への理解を深めるためのものであり、本開示の一部を構成し、本開示の例示的な実施例及びその説明は、本開示を解釈するものであり、本開示を限定するものではない。図面において、
【００１７】
【図１】本開示の１つの実施例に係る測定報告方法のフローチャートである。
【図２】本開示の別の実施例に係る測定報告方法のフローチャートである。
【図３】本開示のさらに別の実施例に係る測定報告方法のフローチャートである。
【図４】本開示のさらに別の実施例に係る測定報告方法のフローチャートである。
【図５】本開示のさらに別の実施例に係る測定報告方法のフローチャートである。
【図６】本開示のさらに別の実施例に係る測定報告方法のフローチャートである。
【図７】本開示の１つの実施例に係る端末装置の構造図である。
【図８】本開示の別の実施例に係る端末装置の構造図である。
【図９】本開示のさらに別の実施例に係る端末装置の構造図である。
【図１０】本開示の１つの実施例に係るネットワーク装置の構造図である。
【図１１】本開示のさらに別の実施例に係る端末装置の構造図である。
【図１２】本開示の別の実施例に係るネットワーク装置の構造図である。
【発明を実施するための形態】
【００１８】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造的な労働をしない前提で得られた他の全ての実施例は、いずれも本開示の保護範囲に属するものである。本願において用いられる「及び／又は」、又は、「又は／及び」は、接続対象の少なくとも１つを示すものである。
【００１９】
本開示の技術手段は、様々な通信システム、例えば、グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ(登録商標)）、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）／アドバンストロングタームエボリューション（Ｌｏｎｇ  Ｔｅｒｍ  Ｅｖｏｌｕｔｉｏｎ  Ａｄｖａｎｃｅｄ、ＬＴＥ−Ａ）、ＮＲ（Ｎｅｗ  Ｒａｄｉｏ）等に適用できる。
【００２０】
ユーザ機器（Ｕｓｅｒ  Ｅｑｕｉｐｍｅｎｔ、ＵＥ）は、移動端末（Ｍｏｂｉｌｅ  Ｔｅｒｍｉｎａｌ）、移動ユーザ装置等とも呼ばれ、無線アクセスネットワーク（Ｒａｄｉｏ  Ａｃｃｅｓｓ  Ｎｅｔｗｏｒｋ、ＲＡＮ）を介して１つ以上のコアネットワークと通信することができ、ユーザ機器は、移動端末、例えば移動電話（又は「セル」電話と呼ばれる）と移動端末を有するコンピュータであってもよく、例えば携帯型、ポケット式、手持ち式、コンピュータ内蔵又は車載の移動装置であってもよく、それらが無線アクセスネットワークと言語及び／又はデータを通信する。
【００２１】
基地局は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡ(登録商標)における基地局（ＮｏｄｅＢ）であってもよく、ＬＴＥにおける進化型基地局（ｅＮＢ又はｅ−ＮｏｄｅＢ（ｅｖｏｌｕｔｉｏｎａｌ  ＮｏｄｅＢ））及び５Ｇ基地局（ｇＮＢ）であってもよく、本開示において限定されないが、説明しやすいように、下記実施例は、ｇＮＢを例にして説明する。
【００２２】
以下、図面を参照しながら、本開示の各実施例に係る技術手段を詳細に説明する。
【００２３】
図１は、本開示の１つの実施例に係る測定報告方法のフローチャートである。図１に示すように、該方法は、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定するステップ１２０と、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップ１４０と、
少なくとも１つの測定報告を送信するステップ１６０とを含む。
【００２４】
本開示の実施例では、ネットワーク装置が送信したダウンリンク測定設定は、測定報告の内容情報、測定された参照信号リソース関連情報、及び参照信号リソースと測定報告との関連関係情報のうちの少なくとも１種を含み、端末装置は、ダウンリンク設定情報を受信した後、測定報告の内容情報に基づいて、測定されるべき参照信号を決定し、且つダウンリンク測定設定に基づいて参照信号を測定することができ、測定結果に対して、端末装置は、測定報告の内容情報、測定された参照信号リソース関連情報、及び参照信号リソースと測定報告との関連関係情報のうちの少なくとも１種に基づいて、少なくとも１つの測定報告を生成し、且つ該測定報告を送信することができるため、端末装置が測定報告を生成する場合及び測定報告をアップロードする場合における曖昧性の問題を解決する。
【００２５】
本実施例の一実施形態では、測定報告の内容情報は、測定報告の内容タイプを少なくとも含み、内容タイプは、
チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）又は／及び同期信号ブロック（Ｓｙｎｃｈｒｏｎｉｚａｔｉｏｎ  Ｓｉｇｎａｌ  Ｂｌｏｃｋ、ＳＳＢ）測定に基づくビーム報告、及び
ＣＳＩ−ＲＳ測定に基づくチャネル状態情報ＣＳＩ（Ｃｈａｎｎｅｌ  Ｓｔａｔｅ  Ｉｎｆｏｒｍａｔｉｏｎ）報告という内容タイプのうちの少なくとも１種を少なくとも含む。
【００２６】
ＣＳＩ−ＲＳ測定に基づくビーム報告の場合、ＣＳＩ−ＲＳの測定結果から少なくとも１つの最適なビームのチャネル状態情報参照信号リソースインデックス（ＣＳＩ−ＲＳ  ｒｅｓｏｕｒｃｅ  ｉｎｄｅｘ、ＣＲＩ）及び参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）を選択してビーム報告を生成してよい。
【００２７】
ＳＳＢ測定に基づくビーム報告の場合、ＳＳＢの測定結果から少なくとも１つの最適なビームの同期信号ブロックリソースインデックス（ＳＳＢ  ｒｅｓｏｕｒｃｅ  ｉｎｄｅｘ  、ＳＳＢＲＩ）及びＲＳＲＰを選択してビーム報告を生成してよい。
【００２８】
ＣＳＩ−ＲＳ測定に基づくＣＳＩ報告の場合、ＣＳＩ−ＲＳの測定結果からチャネル品質指標（Ｃｈａｎｎｅｌ  Ｑｕａｌｉｔｙ  Ｉｎｄｉｃａｔｏｒ、ＣＱＩ）、プリコード化マトリクス指標（Ｐｒｅｃｏｄｉｎｇ  Ｍａｔｒｉｘ  Ｉｎｄｉｃａｔｏｒ、ＰＭＩ）、ランク指示（Ｒａｎｋ  Ｉｎｄｉｃａｔｉｏｎ、ＲＩ）のうちの少なくとも１種を選択してＣＳＩ報告を生成してよい。
【００２９】
ビーム報告及びＣＳＩ報告は、本実施例に係るいくつかの具体的なタイプに過ぎず、本実施例は、他のタイプに限定されるものではないことが理解できる。
【００３０】
好ましくは、本実施例の一実施形態では、個別報告の方式でそれぞれ測定報告を生成してよい。具体的には、ステップ１４０は、具体的には、
参照信号リソース関連情報において設定された参照信号リソース設定ＲＳ  ｒｅｓｏｕｒｃｅ  ｓｅｔｔｉｎｇ又は参照信号リソースセットＲＳ  ｒｅｓｏｕｒｃｅ  ｓｅｔの時間領域送信方式が周期的又は半永続的である場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成するように実現されてよい。
【００３１】
参照信号リソース関連情報は、参照信号リソース設定ＲＳ  ｒｅｓｏｕｒｃｅ  ｓｅｔｔｉｎｇ、参照信号リソースセットＲＳ  ｒｅｓｏｕｒｃｅ  ｓｅｔ、参照信号リソースＲＳ  ｒｅｓｏｕｒｃｅ等を含んでもよく、ＲＳ  ｒｅｓｏｕｒｃｅ  ｓｅｔｔｉｎｇ、ＲＳ  ｒｅｓｏｕｒｃｅ  ｓｅｔにおける、ＣＳＩ−ＲＳ、ＳＳＢ等であってよい参照信号タイプ（Ｒｅｆｅｒｅｎｃｅ  Ｓｉｇｎａｌ  ｔｙｐｅ、ＲＳ  ｔｙｐｅ）を含んでもよい。
【００３２】
ダウンリンク測定設定は、ＲＳ  ｒｅｓｏｕｒｃｅ  ｓｅｔｔｉｎｇ、ＲＳ  ｒｅｓｏｕｒｃｅ  ｓｅｔのために対応する時間領域送信方式を設定することができる。具体的には、測定報告の内容情報又は参照信号リソース関連情報において対応する時間領域送信方式を設定してよい。ＲＳ  ｒｅｓｏｕｒｃｅ  ｓｅｔｔｉｎｇ又はＲＳ  ｒｅｓｏｕｒｃｅ  ｓｅｔのいずれか１つの時間領域送信方式が周期的又は半永続的である場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成してよい。例えば、いずれか１つのＲＳ  ｒｅｓｏｕｒｃｅ  ｓｅｔｔｉｎｇにおける参照信号の測定結果に対して、１つの測定報告を個別に生成してよく、いずれか１つのＲＳ  ｒｅｓｏｕｒｃｅ  ｓｅｔにおける参照信号の測定結果に対して、測定報告等を個別に生成してよい。いずれか１つのＲＳ  ｒｅｓｏｕｒｃｅ  ｓｅｔｔｉｎｇ又は／及びＲＳ  ｒｅｓｏｕｒｃｅ  ｓｅｔにより生成された対応する１つの測定報告に対して、端末装置は、これらの測定報告をそれぞれネットワーク装置に送信してよい。
【００３３】
本実施例の一実施形態では、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成するステップは、
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳの測定結果に基づいて少なくとも１つの最適なビームのＣＲＩ及びＲＳＲＰを選択してビーム報告を生成すること、
ＲＳ  ｒｅｓｏｕｒｃｅ  ｓｅｔｔｉｎｇ又は／及びＲＳ  ｒｅｓｏｕｒｃｅ  ｓｅｔにおけるＳＳＢの測定結果に基づいて少なくとも１つの最適なビームのＳＳＢＲＩ及びＲＳＲＰを選択してビーム報告を生成すること、
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳの測定結果に基づいてチャネル品質指標ＣＱＩ、プリコード化マトリクス指標ＰＭＩ、ランク指標ＲＩのうちの少なくとも１種を選択してＣＳＩ報告を生成すること、又は
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳ及びＳＳＢの測定結果に基づいて共同測定結果を生成し、且つ共同測定結果に基づいてビーム報告を生成することのうちの少なくとも１つを含む。
【００３４】
以上が個別報告の４つのケースであり、すなわち、ＲＳ  ｒｅｓｏｕｒｃｅ  ｓｅｔｔｉｎｇ又は／及びＲＳ  ｒｅｓｏｕｒｃｅ  ｓｅｔ毎に、１つの対応するビーム報告を個別に生成してもよく、１つの対応するＣＳＩ報告を生成してもよい。なお、１つのＲＳ  ｒｅｓｏｕｒｃｅ  ｓｅｔｔｉｎｇ又は／及びＲＳ  ｒｅｓｏｕｒｃｅ  ｓｅｔがＣＳＩ−ＲＳ及びＳＳＢという２種の参照信号を同時に含む場合、ＣＳＩ−ＲＳ及びＳＳＢの測定結果に基づいて共同測定結果を生成し、且つ共同測定結果に基づいてビーム報告を生成してよい。
【００３５】
好ましくは、本実施例の一実施形態では、端末装置が不要なデータを測定することを回避するために、いくつかの場合において、ネットワーク装置が端末装置にトリガー信号を送信した後こそ、端末装置が対応する参照信号を測定する。このために、ステップ１２０は、具体的には、
参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的であり、且つ参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔを測定するようにトリガーするための第１のダウンリンク制御情報ＤＣＩをネットワーク装置から受信した場合、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定するように実現されてよい。
【００３６】
本実施例では、ＲＳ  ｒｅｓｏｕｒｃｅ  ｓｅｔｔｉｎｇ及びＲＳ  ｒｅｓｏｕｒｃｅ  ｓｅｔの時間領域送信方式が非周期的である場合、ネットワーク装置が端末装置に第１のＤＣＩを送信すれば、端末装置は、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定することができる。例えば、ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳ、ＳＳＢ等の少なくとも１種の信号を測定してよい。
【００３７】
測定結果を容易に報告するために、好ましくは、本実施例の一実施形態では、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、端末装置は、対応するいくつかの共同計算をさらに行ってよい。
【００３８】
共同計算の場合、２種の共同計算の方式を含んでよい。
【００３９】
第１の共同計算方式は、２つのＲＳ  ｒｅｓｏｕｒｃｅ  ｓｅｔｔｉｎｇ又はＲＳ  ｒｅｓｏｕｒｃｅ  ｓｅｔのＲＳタイプのうちの１つがＣＳＩ−ＲＳであり、別がＳＳＢである場合に行われる共同計算である。具体的には、第１のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳであり、且つ第２のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＳＳＢである場合、第１及び第２のＲＳｒｅｓｏｕｒｃｅ  ｓｅｔｔｉｎｇ又はＲＳｒｅｓｏｕｒｃｅ  ｓｅｔに対して対応するＣＳＩ−ＲＳ測定及びＳＳＢ測定を行った後に生成された共同測定結果を決定することができる。
【００４０】
第２の共同計算方式は、１つのＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳ及びＳＳＢを同時に含む場合に行われる共同計算である。具体的には、第３のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳ及びＳＳＢを含む場合、第３のＲＳ  ｒｅｓｏｕｒｃｅ  ｓｅｔｔｉｎｇ又はＲＳ  ｒｅｓｏｕｒｃｅ  ｓｅｔに対して対応するＣＳＩ−ＲＳ測定及びＳＳＢ測定を行った後に生成された共同測定結果を決定する。
【００４１】
好ましくは、本実施例の他の実施形態では、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、測定報告の内容情報において設定された測定報告の内容タイプがビーム報告であり、且つ設定されたビーム報告における報告内容がＳＳＢＲＩ及び対応するＲＳＲＰである場合、ＲＳ  ｒｅｓｏｕｒｃｅ  ｓｅｔｔｉｎｇ又はＲＳ  ｒｅｓｏｕｒｃｅ  ｓｅｔにおけるＳＳＢ及びＣＳＩ−ＲＳの測定結果を共同計算する。
【００４２】
対応して共同計算を行うＳＳＢとＣＳＩ−ＲＳは、空間的（ｓｐａｔｉａｌ）疑似コロケーション（Ｑｕａｓｉ  Ｃｏ−Ｌｏｃａｔｉｏｎ、ＱＣＬ）関係を有してよい。ＲＳ  ｒｅｓｏｕｒｃｅ  ｓｅｔｔｉｎｇ又はＲＳ  ｒｅｓｏｕｒｃｅ  ｓｅｔにおけるＳＳＢ及びＣＳＩ−ＲＳの測定結果を共同計算する場合、ＣＳＩ−ＲＳ測定結果におけるＲＳＲＰとＳＳＢ測定結果におけるＲＳＲＰに基づいて共同計算を行い、計算後のＲＳＲＰを決定することができ、その後、決定されたＲＳＲＰに基づいて対応するＳＳＢＲＩを決定することができる。
【００４３】
端末装置は、２種の共同計算の方式を同時に実現してもよく、１種のみを実現してもよく、具体的な選択は、２種の共同計算の方式のうちの具体的な方式に応じて決定されてよい。なお、端末装置は、他のＲＳタイプの参照信号を共同計算してもよく、本実施例の以上の共同計算方式は、具体的な限定としない。
【００４４】
共同計算の具体的な方法は、好ましくは、本実施例では、ＣＳＩ−ＲＳ測定及びＳＳＢ測定を行った後に生成された共同測定結果を決定する場合、
ＣＳＩ−ＲＳ測定及びＳＳＢ測定を行った後の各ＲＳＲＰの最大値又は統計的平均値を決定することと、
最大値又は統計的平均値に対応する、ＣＲＩ及び／又はＳＳＢＲＩを含む参照信号リソースインデックスＲＳ  ｒｅｓｏｕｒｃｅ  ｉｎｄｅｘを決定することと、
決定されたＲＳ  ｒｅｓｏｕｒｃｅ  ｉｎｄｅｘとＲＳ  ｒｅｓｏｕｒｃｅ  ｉｎｄｅｘに対応するＲＳＲＰとを共同測定結果とすることとを含んでよい。
【００４５】
ＣＳＩ−ＲＳ測定を行った後、複数のＣＲＩ及び対応するＲＳＲＰが形成される。ＳＳＢ測定を行った後、複数のＳＳＢＲＩ及び対応するＲＳＲＰが形成される。ＲＳＲＰの最大値又は統計的平均値を計算することができ、最大値又は統計的平均値に基づいてＲＳ  ｒｅｓｏｕｒｃｅ  ｉｎｄｅｘを決定することができ、本実施例は、決定されたＲＳ  ｒｅｓｏｕｒｃｅ  ｉｎｄｅｘ及び対応するＲＳＲＰを共同測定結果とすることができる。ただし、ＲＳＲＰの最大値又は統計的平均値を計算することは、好ましい実現形態であり、本実施例も、具体的な応用又は必要又は実際の状況に応じて、他の異なる共同計算方法を選択して用いることができる。ここで、本実施例については具体的な説明を省略する。
【００４６】
なお、本実施例に係る第１、第２、第３のＲＳ  ｒｅｓｏｕｒｃｅ  ｓｅｔｔｉｎｇ又はＲＳ  ｒｅｓｏｕｒｃｅ  ｓｅｔは、ＲＳ  ｒｅｓｏｕｒｃｅ  ｓｅｔｔｉｎｇ又はＲＳ  ｒｅｓｏｕｒｃｅ  ｓｅｔにおけるＲＳタイプをより良く区別するためのものに過ぎず、具体的な順序を表すものではない。具体的には、端末装置が測定したＲＳ  ｒｅｓｏｕｒｃｅ  ｓｅｔｔｉｎｇ又はＲＳ  ｒｅｓｏｕｒｃｅ  ｓｅｔは、１つ以上であってよく、そのうちのＲＳ  ｒｅｓｏｕｒｃｅ  ｓｅｔｔｉｎｇ又はＲＳ  ｒｅｓｏｕｒｃｅ  ｓｅｔが以上の２種の共同計算方式のいずれかを満たしていれば、いずれも共同計算することができる。
【００４７】
好ましくは、本実施例の一実施形態では、共同測定結果を生成するための第１、第２及び／又は第３のＲＳ  ｒｅｓｏｕｒｃｅ  ｓｅｔｔｉｎｇ又はＲＳ  ｒｅｓｏｕｒｃｅ  ｓｅｔは、
ネットワーク装置から受信した設定情報により決定される方式、
端末装置によりプリセットした方式で選択して決定される方式、
ネットワーク装置との間の約束情報により決定される方式のうちの１つにより決定される。
【００４８】
具体的には、共同計算を必要とするＲＳ  ｒｅｓｏｕｒｃｅ  ｓｅｔｔｉｎｇ又はＲＳ  ｒｅｓｏｕｒｃｅ  ｓｅｔについては、端末装置により自ら選択されてもよく、即ち、端末装置がプリセットした方式で選択して決定し、ネットワーク装置から送信された設定情報に基づいて決定されてもよく、設定情報から具体的に共同計算を必要とするＲＳ  ｒｅｓｏｕｒｃｅ  ｓｅｔｔｉｎｇ又はＲＳ  ｒｅｓｏｕｒｃｅ  ｓｅｔを決定してもよく、ネットワーク装置及び端末装置は、約束情報の方式により決定してもよい。
【００４９】
好ましくは、本実施例の他の実施形態では、端末装置が第１のＤＣＩに基づいて測定結果を測定した後に、ネットワーク装置が端末装置により測定報告を送信する必要がない場合があり、この場合、端末装置が測定報告を生成していると、演算能力の浪費となる。このため、本実施例では、端末装置が第２のダウンリンク制御情報ＤＣＩを受信した場合、端末装置は、測定報告を生成し、測定報告を報告し、即ち、ネットワーク装置に送信する。本実施例では、第２のＤＣＩは、さらに、測定結果を順序付けして共同報告を行うように端末装置をトリガーすることができる。具体的には、ステップ１４０は、
少なくとも１つの報告設定ｒｅｐｏｒｔ  ｓｅｔｔｉｎｇをトリガーする第２のダウンリンク制御情報ＤＣＩをネットワーク装置から受信した場合、測定報告の内容情報、測定された参照信号リソース関連情報、及び参照信号リソースと測定報告との関連関係情報のうちの少なくとも１種に基づいて、測定結果に対する順序付け方式を決定し、
順序付け方式により測定結果を順序付けし、
順序付けされた測定結果に基づいて測定報告を生成するように実現されてよい。
【００５０】
測定報告を容易に報告するために、本実施例は、測定結果を順序付けすることができ、具体的な順序付け方式は、測定報告の内容情報、測定された参照信号リソース関連情報、及び参照信号リソースと測定報告との関連関係情報のうちの少なくとも１種に基づいて決定されてよい。
【００５１】
好ましくは、本実施例の一実施形態では、順序付け方式は、参照信号リソースと測定報告との関連関係情報におけるｒｅｐｏｒｔ  ｓｅｔｔｉｎｇが関連した１つ以上のＲＳ  ｒｅｓｏｕｒｃｅ  ｓｅｔｔｉｎｇ又は／及びＲＳ  ｒｅｓｏｕｒｃｅ  ｓｅｔの順位付け方式であってよい。
【００５２】
好ましくは、本実施例の一実施形態では、測定結果に対する順序付け方式を決定する場合、
ネットワーク装置から受信した順序付け情報に基づいて順位付け方式を決定する方式、又は
ネットワーク装置との間で約束された順序付け情報に基づいて順位付け方式を決定する方式、又は
予め記憶された順序付け情報に基づいて順序付け方式を決定する方式のうちの１種を用いてよい。
【００５３】
端末装置は、ネットワーク装置から順序付け情報を受信して順序付け方式を決定してもよく、ネットワーク装置との間で約束された順序付け情報に基づいて順序付け方式を決定してもよく、予め記憶された順序付け情報に基づいて順序付け方式を決定してもよい。順序付け情報は、複数種であってよく、具体的なルールであってもよく、具体的な順序限定等であってもよい。
【００５４】
好ましくは、本実施例の一実施形態では、ネットワーク装置は、端末装置の測定をトリガーすると同時に、測定報告を送信するように端末装置をトリガーしてよい。この場合、第２のダウンリンク制御情報ＤＣＩは、第１のダウンリンク制御情報ＤＣＩと同じであり、ネットワーク装置は、同一のＤＣＩにより、測定し測定報告を送信するように端末装置をトリガすることができる。他のいくつかの場合、端末装置が第１のＤＣＩを受信した後に測定するが、報告せず、第２のＤＣＩを受信した場合のみ測定報告を生成して報告するようするために、第１のＤＣＩと第２のＤＣＩは異なってよい。測定と報告を同時にトリガーすることは、より重要又は応答プロセスがよりタイムリーである必要がある場合に適用することができる。まず測定をトリガーし、次に報告をトリガーする方式は、いくつかの類似の異なる場合に応用することができる。
【００５５】
好ましくは、本実施例の一実施形態では、順序付け方式は、報告設定インデックスｒｅｐｏｒｔ  ｓｅｔｔｉｎｇ  ｉｎｄｅｘ、参照信号リソース設定インデックスＲＳ  ｒｅｓｏｕｒｃｅ  ｓｅｔｔｉｎｇ  ｉｎｄｅｘ、測定報告の内容情報により決定された測定報告内容タイプ、参照信号リソースセットインデックスＲＳ  ｒｅｓｏｕｒｃｅ  ｓｅｔ  ｉｎｄｅｘ、ＲＳ  ｒｅｓｏｕｒｃｅ  ｓｅｔｔｉｎｇにおける参照信号タイプＲＳ  ｔｙｐｅ、ＲＳ  ｒｅｓｏｕｒｃｅ  ｓｅｔにおけるＲＳ  ｔｙｐｅのうちの少なくとも１種に基づいて順序付けすることを含む。
【００５６】
なお、以上の順序付け方式が基づいている内容は、いずれも、順序付け情報としてよく、これらの順序付け情報は、いずれもネットワーク装置からの受信、ネットワーク装置との間での約束又は予め記憶より、対応する順序付け方式を決定することができる。
【００５７】
好ましくは、本実施例の一実施形態では、ｒｅｐｏｒｔ  ｓｅｔｔｉｎｇ  ｉｎｄｅｘに基づいて順序付けしてもよく、報告内容情報の内容タイプ（例えば、ビーム報告、ＣＳＩ報告等）に基づいて順序付けしてもよい。
【００５８】
各ｒｅｐｏｒｔ  ｓｅｔｔｉｎｇに対応するＲＳ  ｒｅｓｏｕｒｃｅ  ｓｅｔｔｉｎｇ又は／及びＲＳ  ｒｅｓｏｕｒｃｅ  ｓｅｔの測定結果を順序付けする場合、ＲＳ  ｒｅｓｏｕｒｃｅ  ｓｅｔｔｉｎｇのＲＳ  ｒｅｓｏｕｒｃｅ  ｓｅｔｔｉｎｇ  ｉｎｄｅｘに基づいて順序付けしてもよく、ＲＳ  ｒｅｓｏｕｒｃｅ  ｓｅｔのＲＳ  ｒｅｓｏｕｒｃｅ  ｓｅｔ  ｉｎｄｅｘに基づいて順序付けしてもよく、ＲＳ  ｒｅｓｏｕｒｃｅ  ｓｅｔｔｉｎｇ又はＲＳ  ｒｅｓｏｕｒｃｅ  ｓｅｔにおけるＲＳタイプに基づいて順序付けしてもよい。
【００５９】
具体的な例としては、例えば、ＲＳ  ｒｅｓｏｕｒｃｅ  ｓｅｔ１は、ビーム測定に用いられ、且つＣＳＩ−ＲＳ  ｒｅｓｏｕｒｃｅを含み、ＲＳ  ｒｅｓｏｕｒｃｅ  ｓｅｔ２は、ＣＳＩ測定に用いられ、且つＣＳＩ−ＲＳ  ｒｅｓｏｕｒｃｅを含み、ｒｅｓｏｕｒｃｅ  ｓｅｔ３は、ビーム測定に用いられ、且つＳＳＢを含む。報告内容情報の内容タイプに基づいて順序付けする場合、仮に、ビーム報告、ＣＳＩ報告という順序であれば、順序付けにおいて、まず、ＲＳ  ｒｅｓｏｕｒｃｅ  ｓｅｔ１のビーム測定結果ＣＲＩ及び対応するＲＳＲＰ、次にｒｅｓｏｕｒｃｅ  ｓｅｔ３のビーム測定結果ＳＳＢＲＩ及び対応するＲＳＲＰ、最後にＣＳＩ測定結果ＣＱＩ、ＰＭＩ及びＲＩという順で順序付けすることができる。当然のことながら、このような順序付け方式は、ＲＳタイプによって決定されてもよい。
【００６０】
本実施例では、対応する順序で順序付けすることができる。具体的には、本実施例の一実施形態では、順序付け方式としては、ｒｅｐｏｒｔ  ｓｅｔｔｉｎｇに基づいて１つ以上のＲＳ  ｒｅｓｏｕｒｃｅ  ｓｅｔｔｉｎｇ又は／及びＲＳ  ｒｅｓｏｕｒｃｅ  ｓｅｔを順位付けしてよい。例えば、まず、ｒｅｐｏｒｔ  ｓｅｔｔｉｎｇの順序付けルールにしたがってｒｅｐｏｒｔ  ｓｅｔｔｉｎｇを順序付けし、次に、各ｒｅｐｏｒｔ  ｓｅｔｔｉｎｇ内部の対応するＲＳ  ｒｅｓｏｕｒｃｅ  ｓｅｔｔｉｎｇ又は／及びＲＳ  ｒｅｓｏｕｒｃｅ  ｓｅｔの順序付けルールをさらに順序付けすることができ、そして、各ＲＳ  ｒｅｓｏｕｒｃｅ  ｓｅｔｔｉｎｇ又は／及びＲＳ  ｒｅｓｏｕｒｃｅ  ｓｅｔの測定結果をさらに順序付けすることができる。
【００６１】
本実施例では、交差順序付け方式で順序付けしてもよい。第２のＤＣＩがトリガーした各ｒｅｐｏｒｔ  ｓｅｔｔｉｎｇは、いずれも１つ以上のＲＳ  ｒｅｓｏｕｒｃｅ  ｓｅｔｔｉｎｇ又はＲＳ  ｒｅｓｏｕｒｃｅ  ｓｅｔに対応する。ｒｅｐｏｒｔ  ｓｅｔｔｉｎｇは、対応してｒｅｐｏｒｔ  ｓｅｔｔｉｎｇ  ｉｎｄｅｘ及び報告数Ｒｅｐｏｒｔ  Ｑｕａｎｔｉｔｙを有し、Ｒｅｐｏｒｔ  Ｑｕａｎｔｉｔｙは、ＣＲＩ及び対応するＲＳＲＰ、ＳＳＢＲＩ及び対応するＲＳＲＰ、ＣＳＩ測定効果ＣＱＩ、ＰＭＩ及びＲＩ等のうちの少なくとも１種であってよい。ＲＳ  ｒｅｓｏｕｒｃｅ  ｓｅｔｔｉｎｇ又はＲＳ  ｒｅｓｏｕｒｃｅ  ｓｅｔは、対応してＲＳ  ｒｅｓｏｕｒｃｅ  ｓｅｔｔｉｎｇ  ｉｎｄｅｘ又はＲＳ  ｒｅｓｏｕｒｃｅ  ｓｅｔ  ｉｎｄｅｘ及びＲＳタイプを有し、ＲＳタイプは、ＣＳＩ−ＲＳ及びＳＳＢ等を含む。順序付け時には、まず、少なくとも１つのｒｅｐｏｒｔ  ｓｅｔｔｉｎｇを順序付けすることができ、これにより、各ｒｅｐｏｒｔ  ｓｅｔｔｉｎｇ間の順位付け関係を決定し、例えば、各ｒｅｐｏｒｔ  ｓｅｔｔｉｎｇの順番に応じて順序付けすることができ、順序付け後に、ｒｅｐｏｒｔ  ｓｅｔｔｉｎｇ１、ｒｅｐｏｒｔ  ｓｅｔｔｉｎｇ２等であってよく、その後、ｒｅｐｏｒｔ  ｓｅｔｔｉｎｇ内部の各ＲＳ  ｒｅｓｏｕｒｃｅ  ｓｅｔｔｉｎｇ又はＲＳ  ｒｅｓｏｕｒｃｅ  ｓｅｔの順番に応じて各ＲＳ  ｒｅｓｏｕｒｃｅ  ｓｅｔｔｉｎｇ又はＲＳ  ｒｅｓｏｕｒｃｅ  ｓｅｔをさらに順序付けすることができ、例えば、順序付け後にｒｅｐｏｒｔ  ｓｅｔｔｉｎｇ１におけるＲＳ  ｒｅｓｏｕｒｃｅ  ｓｅｔ１、ｒｅｐｏｒｔ  ｓｅｔｔｉｎｇ１におけるＲＳ  ｒｅｓｏｕｒｃｅ  ｓｅｔ１、ｒｅｐｏｒｔ  ｓｅｔｔｉｎｇ１におけるＲＳ  ｒｅｓｏｕｒｃｅ  ｓｅｔ２、ｒｅｐｏｒｔ  ｓｅｔｔｉｎｇ２におけるＲＳ  ｒｅｓｏｕｒｃｅ  ｓｅｔ２等であってよく、その後、各ＲＳ  ｒｅｓｏｕｒｃｅ  ｓｅｔｔｉｎｇ又は／及びＲＳ  ｒｅｓｏｕｒｃｅ  ｓｅｔにおける測定結果をさらに順序付けすることができ、即ちＲＳ  ｒｅｓｏｕｒｃｅ  ｓｅｔｔｉｎｇ又はＲＳ  ｒｅｓｏｕｒｃｅ  ｓｅｔ内部においてＲＳタイプに基づいてさらに順序付けすることができる。交差順序付けの場合では、上述したように、例えば、まずＲＳ  ｒｅｓｏｕｒｃｅ  ｓｅｔｔｉｎｇ又はＲＳ  ｒｅｓｏｕｒｃｅ  ｓｅｔに基づいて順序付けし、次に各セット中のＲＳ  ｒｅｓｏｕｒｃｅ  ｓｅｔｔｉｎｇ又はＲＳ  ｒｅｓｏｕｒｃｅ  ｓｅｔをＲＳタイプに基づいて順序付けする。当業者は、以上の記載に基づいて、他のパラメータに基づいて交差順位付けを行う方式を得ることができ、ここでは説明を省略する。
【００６２】
好ましくは、本実例の他の実施形態では、端末装置が第１のＤＣＩに基づいて測定結果を測定した場合、端末装置が第３のダウンリンク制御情報ＤＣＩを受信すれば、測定報告を生成し、且つ測定報告を報告することができ、即ち、ネットワーク装置に送信する。本実施例では、第３のＤＣＩは測定結果を個別に報告するように端末装置をトリガすることができる。具体的には、ステップ１４０は、具体的には、
少なくとも１つの報告設定ｒｅｐｏｒｔ  ｓｅｔｔｉｎｇをトリガーする第３のダウンリンク制御情報ＤＣＩをネットワーク装置から受信した場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成するように実現されてよい。
【００６３】
端末装置が第３のＤＣＩによりそれぞれ測定報告を生成する過程は、参照信号リソース関連情報において設定された参照信号リソース設定ＲＳ  ｒｅｓｏｕｒｃｅ  ｓｅｔｔｉｎｇ又は参照信号リソースセットＲＳ  ｒｅｓｏｕｒｃｅ  ｓｅｔの時間領域送信方式が周期的又は半永続的である場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成する過程と同じであり、具体的にはそれぞれ測定報告を生成する詳細な過程は、本実施例の以上の具体的な内容を組み合わせることができる。
【００６４】
好ましくは、本実施例では、第３のダウンリンク制御情報ＤＣＩは、第１のダウンリンク制御情報ＤＣＩと同じであっても異なってもよい。具体的には、ネットワーク装置が端末装置により測定結果を測定した後に測定報告を直接生成し報告する必要がある場合、第３のＤＣＩは、第１のＤＣＩと同じであってよい。ネットワーク装置が第１のＤＣＩにより端末装置の測定をトリガーした後に、測定報告の受信を遅延する必要がある場合、第３のＤＣＩは、第１のＤＣＩに対して多少遅延してよい。当然のことながら、ネットワーク装置は、測定報告を必要としない場合、端末装置に第３のＤＣＩを送信しなくてよく、この場合、端末装置は、測定結果に基づいて測定報告を生成せず、該測定報告も報告しない。
【００６５】
本実施例では、第１、第２、第３のＤＣＩは、いずれもネットワーク装置が送信した物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）により搬送されて端末装置に送信されてよい。
【００６６】
端末装置が測定報告を生成した後、測定報告を送信する前に、測定報告の大きさがアップリンクチャネルの搬送能力を超えたか否かを判断してよい。測定報告の大きさは、測定報告におけるビット数の多寡であってよい。アップリンクチャネルの搬送能力は、測定報告の大きさより大きい必要があり、そうでなければ、測定報告のアップロードに影響を与える。このため、図２に示すように、ステップ１６０の前に、該方法は、
少なくとも１つの測定報告の大きさがアップリンクチャネルの搬送能力を超えた場合、所定のルールに従って一部の測定報告における報告内容を廃棄するステップ１５０をさらに含む。
【００６７】
所定のルールに従って一部の測定報告における報告内容を廃棄する前に、
ネットワーク装置から受信したルール情報に基づいて所定のルールを決定する方式、又は
ネットワーク装置との間で約束されたルール情報に基づいて所定のルールを決定する方式、又は
予め記憶されたルール情報に基づいて所定のルールを決定する方式という３つの方式のうちの１つにより対応する所定のルールを決定することができる。
【００６８】
本実施例は、所定のルールの３つの決定方式を提供し、一般的に、このような３つの方式は、一部の測定報告を廃棄するという課題を解決することができる。当然のことながら、本実施例は、他の方式又は方法に限定されるものではなく、測定報告の大きさがアップリンクチャネルで搬送できることを満たせばよい。
【００６９】
本実施例では、測定報告における報告内容の優先度又は配列順序により一部の測定報告における報告内容を廃棄してよい。以上より、測定報告の報告内容は、測定結果を順序付けして形成された報告内容であってよいため、これらの報告内容は、一定の順序で配列され、対応する順序に応じて廃棄される報告内容を選択してよい。例えば、最後に配列した一部の報告内容を廃棄することを選択してよい。測定報告の報告内容は、異なる報告内容が対応する優先度、即ち、異なる報告内容の配列順序が異なるが、対応する優先度が異なる場合もある。本実施例では、優先度の大きさにより一部の報告内容を廃棄することを選択してもよい。例えば、優先度が小さい報告内容を優先して廃棄してよく、次に、廃棄された報告内容が所在する位置の後にある報告内容を廃棄された報告内容が所在していた位置に移動させてよく、このような移動は、一般的に、報告内容同士に連続性があることを保証して、測定報告が占有するビットサイズを小さくする必要がある。
【００７０】
図３は、本開示のさらに別の実施例に係る測定報告方法のフローチャートである。図３に示すように、該方法は、
測定報告の内容情報、測定された参照信号リソース関連情報、及び参照信号リソースと測定報告との関連関係情報を少なくとも含む、対応する参照信号を測定するためのダウンリンク測定設定を送信するステップ３１０を含む。
【００７１】
本実施例の一実施形態では、測定報告の内容情報は、測定報告の内容タイプを少なくとも含み、内容タイプは、
チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）又は／及び同期信号ブロック（Ｓｙｎｃｈｒｏｎｉｚａｔｉｏｎ  Ｓｉｇｎａｌ  Ｂｌｏｃｋ、ＳＳＢ）測定に基づくビーム報告、
ＣＳＩ−ＲＳ測定に基づくチャネル状態情報（Ｃｈａｎｎｅｌ  Ｓｔａｔｅ  Ｉｎｆｏｒｍａｔｉｏｎ、ＣＳＩ）という内容タイプのうちの少なくとも１種を少なくとも含む。
【００７２】
参照信号リソース関連情報は、参照信号リソース設定ＲＳ  ｒｅｓｏｕｒｃｅ  ｓｅｔｔｉｎｇ、参照信号リソースセットＲＳ  ｒｅｓｏｕｒｃｅ  ｓｅｔ、参照信号リソースＲＳ  ｒｅｓｏｕｒｃｅ等を含んでもよく、ＲＳ  ｒｅｓｏｕｒｃｅ  ｓｅｔｔｉｎｇ、ＲＳ  ｒｅｓｏｕｒｃｅ  ｓｅｔにおける、ＣＳＩ−ＲＳ、ＳＳＢ等であってよい参照信号タイプ（Ｒｅｆｅｒｅｎｃｅ  Ｓｉｇｎａｌ  ｔｙｐｅ、ＲＳ  ｔｙｐｅ）を含んでもよい。
【００７３】
ダウンリンク測定設定は、ＲＳ  ｒｅｓｏｕｒｃｅ  ｓｅｔｔｉｎｇ、ＲＳ  ｒｅｓｏｕｒｃｅ  ｓｅｔのために対応する時間領域送信方式を設定することができる。
【００７４】
測定報告の内容情報、測定された参照信号リソース関連情報、及び参照信号リソースと測定報告との関連関係情報のうちの少なくとも１種を、測定結果を順序付けすることに用いることができる。
【００７５】
以上により、ネットワーク装置がダウンリンク測定設定を送信し、端末装置が該ダウンリンク測定設定を受信した後、端末装置は、測定報告の内容情報に基づいてどの参照信号を測定するかを決定することができる。端末装置は、測定報告を生成するか否か、及び該測定報告をアップロードするか否かをさらに決定することができる。
【００７６】
本開示の実施例では、ネットワーク装置が送信したダウンリンク測定設定は、測定報告の内容情報、測定された参照信号リソース関連情報、及び参照信号リソースと測定報告との関連関係情報のうちの少なくとも１種を含み、端末装置は、ダウンリンク設定情報を受信した後、測定報告の内容情報に基づいて、測定されるべき参照信号を決定し、且つダウンリンク測定設定に基づいて参照信号を測定することができ、測定結果に対して、端末装置は、測定報告の内容情報、測定された参照信号リソース関連情報、及び参照信号リソースと測定報告との関連関係情報のうちの少なくとも１種に基づいて、少なくとも１つの測定報告を生成し、且つ該測定報告を送信することができるため、端末装置が測定報告を生成する場合及び測定報告をアップロードする場合における曖昧性の問題を解決する。
【００７７】
図４は、本開示のさらに別の実施例に係る測定報告方法のフローチャートである。図４に示すように、該方法は、
参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的である場合、参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定するように端末装置をトリガーするための第１のダウンリンク制御情報ＤＣＩを送信するステップ３２０をさらに含む。
【００７８】
図５は、本開示のさらに別の実施例に係る測定報告方法のフローチャートである。図５に示すように、該方法は、
端末装置に測定報告の内容情報、測定された参照信号リソース関連情報、及び参照信号リソースと測定報告との関連関係情報のうちの少なくとも１種に基づいて、測定結果に対する順序付け方式を決定させ、且つ測定報告を報告させるための、少なくとも１つの報告設定ｒｅｐｏｒｔ  ｓｅｔｔｉｎｇをトリガーする第２のダウンリンク制御情報ＤＣＩを送信するステップ３３０をさらに含む。
【００７９】
本実施例では、ネットワーク装置は、端末装置に順序付け方式を決定させるための順序付け情報を送信してよい。ネットワーク装置は、第２のＤＣＩを送信する前に、順序付け情報を送信して、端末装置が第２のＤＣＩを受信した場合に順位付け方式に影響を与えることを回避することができる。具体的な順位付け方式は、本実施例における以上の内容を組み合わせてよい。
【００８０】
図６は、本開示のさらに別の実施例に係る測定報告方法のフローチャートである。図６に示すように、該方法は、
端末装置に測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成させ、且つ測定報告を報告させるための、少なくとも１つの報告設定ｒｅｐｏｒｔ  ｓｅｔｔｉｎｇをトリガーする第３のダウンリンク制御情報ＤＣＩを送信するステップ３４０をさらに含む。
【００８１】
本実施例では、ネットワーク装置は、生成した少なくとも１つの測定報告の大きさがアップリンクチャネルの搬送能力を超えた場合、端末装置に一部の測定報告における報告内容を廃棄させるルール情報を送信してよい。
【００８２】
なお、図３〜図６に示す方法の具体的な内容は、図１〜図２の具体的な内容と組み合わせることができる。
【００８３】
図７は、本開示の１つの実施例に係る端末装置の構造図である。図７に示すように、端末装置７００は、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定する測定モジュール７２０と、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成する生成モジュール７４０と、
少なくとも１つの測定報告を送信する報告送信モジュール７６０と、を含む。
【００８４】
本開示の実施例では、ネットワーク装置が送信したダウンリンク測定設定は、測定報告の内容情報、測定された参照信号リソース関連情報、及び参照信号リソースと測定報告との関連関係情報のうちの少なくとも１種を含み、端末装置は、ダウンリンク設定情報を受信した後、測定報告の内容情報に基づいて、測定されるべき参照信号を決定し、且つダウンリンク測定設定に基づいて参照信号を測定することができ、測定結果に対して、端末装置は、測定報告の内容情報、測定された参照信号リソース関連情報、及び参照信号リソースと測定報告との関連関係情報のうちの少なくとも１種に基づいて、少なくとも１つの測定報告を生成し、且つ該測定報告を送信することができるため、端末装置が測定報告を生成する場合及び測定報告をアップロードする場合における曖昧性の問題を解決する。
【００８５】
好ましくは、１つの実施例として、測定報告の内容情報は、測定報告の内容タイプを少なくとも含み、内容タイプは、
チャネル状態情報参照信号ＣＳＩ−ＲＳ又は／及び同期信号ブロックＳＳＢ測定に基づくビーム報告、及び
ＣＳＩ−ＲＳ測定に基づくチャネル状態情報ＣＳＩ報告という内容タイプのうちの少なくとも１種を少なくとも含む。
【００８６】
好ましくは、１つの実施例として、生成モジュール７４０は、具体的には、
参照信号リソース関連情報において設定された参照信号リソース設定ＲＳ  ｒｅｓｏｕｒｃｅ  ｓｅｔｔｉｎｇ又は参照信号リソースセットＲＳ  ｒｅｓｏｕｒｃｅ  ｓｅｔの時間領域送信方式が周期的又は半永続的である場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することに用いられる。
【００８７】
好ましくは、１つの実施例として、生成モジュール７４０は、さらに、
ＲＳ  ｒｅｓｏｕｒｃｅ  ｓｅｔにおけるＣＳＩ−ＲＳの測定結果に基づいて少なくとも１つの最適なビームのＣＲＩ及びＲＳＲＰを選択してビーム報告を生成すること、及び／又は
ＲＳ  ｒｅｓｏｕｒｃｅ  ｓｅｔｔｉｎｇ又は／及びＲＳ  ｒｅｓｏｕｒｃｅ  ｓｅｔにおけるＳＳＢの測定結果に基づいて少なくとも１つの最適なビームのＳＳＢＲＩ及びＲＳＲＰを選択してビーム報告を生成すること、及び／又は
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳの測定結果に基づいてチャネル品質指標ＣＱＩ、プリコード化マトリクス指標ＰＭＩ、ランク指標ＲＩのうちの少なくとも１種を選択してＣＳＩ報告を生成すること、及び／又は
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳ及びＳＳＢの測定結果に基づいて共同測定結果を生成し、且つ共同測定結果に基づいてビーム報告を生成することに用いられる。
【００８８】
好ましくは、１つの実施例として、測定モジュール７２０は、具体的には、
参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的であり、且つ参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔを測定するようにトリガーするための第１のダウンリンク制御情報ＤＣＩをネットワーク装置から受信した場合、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定することに用いられる。
【００８９】
図８は、本開示の別の実施例に係る端末装置の構造図である。図８に示すように、端末装置７００は、
第１のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳであり、且つ第２のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＳＳＢである場合、第１及び第２のＲＳｒｅｓｏｕｒｃｅ  ｓｅｔｔｉｎｇ又はＲＳｒｅｓｏｕｒｃｅ  ｓｅｔに対して対応するＣＳＩ−ＲＳ測定及びＳＳＢ測定を行った後に生成された共同測定結果を決定するか、又は
第３のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳ及びＳＳＢを含む場合、第３のＲＳ  ｒｅｓｏｕｒｃｅ  ｓｅｔｔｉｎｇ又はＲＳ  ｒｅｓｏｕｒｃｅ  ｓｅｔに対して対応するＣＳＩ−ＲＳ測定及びＳＳＢ測定を行った後に生成された共同測定結果を決定する決定モジュール７５０をさらに含む。
【００９０】
好ましくは、１つの実施例として、測定モジュール１２０は、さらに、
測定報告の内容情報において設定された測定報告の内容タイプがビーム報告であり、且つ設定されたビーム報告における報告内容がＳＳＢＲＩ及び対応するＲＳＲＰである場合、ＲＳ  ｒｅｓｏｕｒｃｅ  ｓｅｔｔｉｎｇ又はＲＳ  ｒｅｓｏｕｒｃｅ  ｓｅｔにおけるＳＳＢ及びＣＳＩ−ＲＳの測定結果を共同計算することに用いられる。
【００９１】
好ましくは、１つの実施例として、決定モジュール７５０は、さらに、
ＣＳＩ−ＲＳ測定及びＳＳＢ測定を行った後の各ＲＳＲＰの最大値又は統計的平均値を決定し、
最大値又は統計的平均値に対応する、ＣＲＩ及び／又はＳＳＢＲＩを含む参照信号リソースインデックスＲＳ  ｒｅｓｏｕｒｃｅ  ｉｎｄｅｘを決定し、
決定されたＲＳ  ｒｅｓｏｕｒｃｅ  ｉｎｄｅｘとＲＳ  ｒｅｓｏｕｒｃｅ  ｉｎｄｅｘに対応するＲＳＲＰとを共同測定結果とすることに用いられる。
【００９２】
好ましくは、１つの実施例として、決定モジュール７５０は、さらに、
ネットワーク装置から受信した設定情報により決定される方式、
端末装置によりプリセットした方式で選択して決定される方式、
ネットワーク装置との間の約束情報により決定される方式のうちの１つにより、共同測定結果を生成するための第１、第２及び／又は第３のＲＳ  ｒｅｓｏｕｒｃｅ  ｓｅｔｔｉｎｇ又はＲＳ  ｒｅｓｏｕｒｃｅ  ｓｅｔを決定することに用いられる。
【００９３】
好ましくは、１つの実施例として、生成モジュール７４０は、さらに、
少なくとも１つの報告設定ｒｅｐｏｒｔ  ｓｅｔｔｉｎｇをトリガーする第２のダウンリンク制御情報ＤＣＩをネットワーク装置から受信した場合、測定報告の内容情報、測定された参照信号リソース関連情報、及び参照信号リソースと測定報告との関連関係情報のうちの少なくとも１種に基づいて、測定結果に対する順序付け方式を決定し、
順序付け方式により測定結果を順序付けし、
順序付けされた測定結果に基づいて測定報告を生成することに用いられる。
【００９４】
好ましくは、１つの実施例として、順序付け方式は、
参照信号リソースと測定報告との関連関係情報におけるｒｅｐｏｒｔ  ｓｅｔｔｉｎｇが関連した１つ以上のＲＳ  ｒｅｓｏｕｒｃｅ  ｓｅｔｔｉｎｇ又は／及びＲＳ  ｒｅｓｏｕｒｃｅ  ｓｅｔの順位付け方式を含む。
【００９５】
好ましくは、１つの実施例として、生成モジュール７４０は、さらに、
ネットワーク装置から受信した順序付け情報に基づいて順位付け方式を決定すること、又は
ネットワーク装置との間で約束された順序付け情報に基づいて順位付け方式を決定すること、又は
予め記憶された順序付け情報に基づいて順序付け方式を決定することに用いられる。
【００９６】
好ましくは、１つの実施例として、第２のダウンリンク制御情報ＤＣＩは、第１のダウンリンク制御情報ＤＣＩと同じである。
【００９７】
好ましくは、１つの実施例として、順序付け方式は、報告設定インデックスｒｅｐｏｒｔ  ｓｅｔｔｉｎｇ  ｉｎｄｅｘ、参照信号リソース設定インデックスＲＳ  ｒｅｓｏｕｒｃｅ  ｓｅｔｔｉｎｇ  ｉｎｄｅｘ、測定報告の内容情報により決定された測定報告内容タイプ、参照信号リソースセットインデックスＲＳ  ｒｅｓｏｕｒｃｅ  ｓｅｔ  ｉｎｄｅｘ、ＲＳ  ｒｅｓｏｕｒｃｅ  ｓｅｔｔｉｎｇにおける参照信号タイプＲＳ  ｔｙｐｅ、ＲＳ  ｒｅｓｏｕｒｃｅ  ｓｅｔにおけるＲＳ  ｔｙｐｅのうちの少なくとも１種に基づいて順序付けすることを含む。
【００９８】
好ましくは、１つの実施例として、生成モジュール７４０は、さらに、
少なくとも１つの報告設定ｒｅｐｏｒｔ  ｓｅｔｔｉｎｇをトリガーする第３のダウンリンク制御情報ＤＣＩをネットワーク装置から受信した場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することに用いられる。
【００９９】
好ましくは、１つの実施例として、第３のダウンリンク制御情報ＤＣＩは、第１のダウンリンク制御情報ＤＣＩと同じである。
【０１００】
図９は、本開示のさらに別の実施例に係る端末装置の構造図である。図９に示すように、端末装置７００は、
少なくとも１つの測定報告の大きさがアップリンクチャネルの搬送能力を超えた場合、所定のルールに従って一部の測定報告における報告内容を廃棄する廃棄モジュール７５１をさらに含む。
【０１０１】
好ましくは、１つの実施例として、廃棄モジュール７５１は、さらに、
ネットワーク装置から受信したルール情報に基づいて所定のルールを決定すること、又は
ネットワーク装置との間で約束されたルール情報に基づいて所定のルールを決定すること、又は
予め記憶されたルール情報に基づいて所定のルールを決定することに用いられる。
【０１０２】
好ましくは、１つの実施例として、廃棄モジュール７５１は、さらに、
報告内容の優先度又は配列順序により一部の測定報告における報告内容を廃棄することに用いられる。
【０１０３】
図１０は、本発明の１つの実施例に係るネットワーク装置の構造図である。図１０に示すように、ネットワーク装置１０００は、
測定報告の内容情報、測定された参照信号リソース関連情報、及び参照信号リソースと測定報告との関連関係情報を少なくとも含む、対応する参照信号を測定するためのダウンリンク測定設定を送信する送信モジュール１１００を含む。
【０１０４】
好ましくは、１つの実施例として、送信モジュール１１００は、さらに、
参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的である場合、参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定するように端末装置をトリガーするための第１のダウンリンク制御情報ＤＣＩを送信することに用いられる。
【０１０５】
好ましくは、１つの実施例として、送信モジュール１１００は、さらに、
端末装置に測定報告の内容情報、測定された参照信号リソース関連情報、及び参照信号リソースと測定報告との関連関係情報のうちの少なくとも１種に基づいて、測定結果に対する順序付け方式を決定させるための、少なくとも１つの報告設定ｒｅｐｏｒｔ  ｓｅｔｔｉｎｇをトリガーする第２のダウンリンク制御情報ＤＣＩを送信することに用いられる。
【０１０６】
好ましくは、１つの実施例として、送信モジュール１１００は、さらに、
端末装置に順序付け方式を決定させる順序付け情報を送信することに用いられる。
【０１０７】
好ましくは、１つの実施例として、送信モジュール１１００は、さらに、
端末装置に測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成させるための、少なくとも１つの報告設定ｒｅｐｏｒｔ  ｓｅｔｔｉｎｇをトリガーする第３のダウンリンク制御情報ＤＣＩを送信することに用いられる。
【０１０８】
好ましくは、１つの実施例として、送信モジュール１１００は、さらに、
生成した少なくとも１つの測定報告の大きさがアップリンクチャネルの搬送能力を超えた場合、端末装置に一部の測定報告における報告内容を廃棄させるルール情報を送信することに用いられる。
【０１０９】
図１１は、本開示の別の実施例に係る端末装置の構造図である。図１１に示される端末装置１１００は、少なくとも１つのプロセッサ１１０１、メモリ１１０２、少なくとも１つのネットワークインタフェース１１０４及びユーザインタフェース１１０３を含む。端末装置１１００内の各コンポーネントは、バスシステム１１０５により結合される。理解できるように、バスシステム１１０５は、これらのコンポーネント間の接続通信を実現することに用いられる。バスシステム１１０５は、データバスに加えて、電力バス、制御バス及び状態信号バスをさらに含む。しかしながら、説明を明瞭にするために、図１１において、様々なバスをいずれもバスシステム１１０５と表記する。
【０１１０】
ユーザインタフェース１１０３は、ディスプレイ、キーボード又はポインティング装置（例えば、マウス、トラックボール（ｔｒａｃｋｂａｌｌ）、タッチパッド又はタッチスクリーン等）を含んでよい。
【０１１１】
理解できるように、本開示の実施例におけるメモリ１１０２は、揮発性メモリ又は不揮発性メモリであってもよく、揮発性及び不揮発性メモリの両方を含んでもよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）等の多くの形態のＲＡＭは使用可能である。本開示の実施例に係るシステム及び方法のメモリ１１０２は、これらのメモリ及び適切なタイプの任意の他のメモリを含むが、これらに限定されないことが意図される。
【０１１２】
いくつかの実施形態では、メモリ１１０２は、実行可能モジュール又はデータ構造、又はそれらのサブセット、又はオペレーティングシステム１１０２１及びアプリケーションプログラム１１０２２であるそれらの拡張セット等の要素を記憶している。
【０１１３】
オペレーティングシステム１１０２１は、様々な基本タスクを実現し、且つハードウェアベースのタスクを処理するための、フレームワーク層、コアライブラリ層、ドライバ層等の様々なシステムプログラムを含む。アプリケーションプログラム１１０２２は、様々なアプリケーションサービスを実現するための、メディアプレーヤー（Ｍｅｄｉａ  Ｐｌａｙｅｒ）、ブラウザ（Ｂｒｏｗｓｅｒ）等の様々なアプリケーションプログラムを含む。本開示の実施例の方法を実現するプログラムは、アプリケーションプログラム１１０２２に含まれてよい。
【０１１４】
本開示の実施例では、端末装置１１００は、メモリ１１０２に記憶されプロセッサ１１０１上で実行でき、プロセッサ１１０１により実行されると、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定するステップと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップと、
前記少なくとも１つの測定報告を送信するステップとを実現するコンピュータプログラムをさらに含む。
【０１１５】
上記本開示の実施例に係る方法は、プロセッサ１１０１に適用されるか、又はプロセッサ１１０１によって実現される。プロセッサ１１０１は、集積回路チップである可能性があり、信号の処理能力を有する。実現過程において、上記方法の各ステップは、プロセッサ１１０１内のハードウェアの集積倫理回路又はソフトウェア形態のコマンドにより完了できる。上記プロセッサ１１０１は、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理デバイス、ディスクリートゲート又はトランジスタロジック、ディスクリートハードウェアコンポーネントであってよい。本開示の実施例に係る各方法、ステップ及び倫理ブロック図を実現又は実行することができる。汎用プロセッサは、マイクロプロセッサであってもよく、又は該プロセッサは、任意の通常のプロセッサ等であってもよい。本開示の実施例に係る方法のステップを組み合わせて、ハードウェア解読プロセッサによって完成するか、又は解読プロセッサ内のハードウェアとソフトウェアモジュールとの組み合わせで実行して完成するように直接的に示されてよい。ソフトウェアモジュールは、ランダムメモリ、フラッシュメモリ、読み取り専用メモリ、プログラマブル読み取り専用メモリ又は電気的消去可能なプログラマブル読み出し専用メモリ、レジスター等の本分野において成熟したコンピュータ可読記憶媒体に位置してよい。該コンピュータ可読記憶媒体がメモリ１１０２に位置し、プロセッサ１１０１は、メモリ１１０２内の情報を読み取って、ハードウェアと組み合わせて上記方法のステップを完成する。具体的には、該コンピュータ可読記憶媒体には、プロセッサ１１０１により実行されると、上記測定報告方法の実施例の各ステップを実現するコンピュータプログラムが記憶されている。
【０１１６】
理解できるように、本開示の実施例に係るこれらの実施例は、ハードウェア、ソフトウェア、ファームウェア、ミドルウェア、マイクロコード、又はそれらの組み合わせによって実現されてよい。ハードウェアによる実現に対して、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｏｒ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子ユニット又はそれらの組み合わせにおいて実現されてよい。
【０１１７】
ソフトウェアによる実現に対して、本開示の実施例に係る機能を実行するモジュール（例えば、プロセス、関数等）により、本開示の実施例に係る技術を実現してよい。ソフトウェアコードは、メモリに記憶され、且つプロセッサによって実行されてよい。メモリは、プロセッサの内部又はプロセッサの外部で実現されてよい。
【０１１８】
コンピュータプログラムは、プロセッサ１１０１により実行されると、以下のステップを実現してよい。
【０１１９】
前記測定報告の内容情報は、測定報告の内容タイプを少なくとも含み、
前記内容タイプは、
チャネル状態情報参照信号ＣＳＩ−ＲＳ又は／及び同期信号ブロックＳＳＢ測定に基づくビーム報告、及び
ＣＳＩ−ＲＳ測定に基づくチャネル状態情報ＣＳＩ報告という内容タイプのうちの少なくとも１種を少なくとも含む。
【０１２０】
好ましくは、１つの実施例として、上記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
前記参照信号リソース関連情報において設定された参照信号リソース設定ＲＳ  ｒｅｓｏｕｒｃｅ  ｓｅｔｔｉｎｇ又は参照信号リソースセットＲＳ  ｒｅｓｏｕｒｃｅ  ｓｅｔの時間領域送信方式が周期的又は半永続的である場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することを含む。
【０１２１】
好ましくは、１つの実施例として、上記測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成するステップは、
ＲＳ  ｒｅｓｏｕｒｃｅ  ｓｅｔにおけるＣＳＩ−ＲＳの測定結果に基づいて少なくとも１つの最適なビームのＣＲＩ及びＲＳＲＰを選択してビーム報告を生成すること、
ＲＳ  ｒｅｓｏｕｒｃｅ  ｓｅｔｔｉｎｇ又は／及びＲＳ  ｒｅｓｏｕｒｃｅ  ｓｅｔにおけるＳＳＢの測定結果に基づいて少なくとも１つの最適なビームのＳＳＢＲＩ及びＲＳＲＰを選択してビーム報告を生成すること、
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳの測定結果に基づいてチャネル品質指標ＣＱＩ、プリコード化マトリクス指標ＰＭＩ、ランク指標ＲＩのうちの少なくとも１種を選択してＣＳＩ報告を生成すること、又は
ＲＳ  ｒｅｓｏｕｒｃｅ  ｓｅｔｔｉｎｇ又は／及びＲＳ  ｒｅｓｏｕｒｃｅ  ｓｅｔにおけるＣＳＩ−ＲＳ及びＳＳＢの測定結果に基づいて共同測定結果を生成し、且つ共同測定結果に基づいてビーム報告を生成することのうちの少なくとも１つを含む。
【０１２２】
好ましくは、１つの実施例として、上記ネットワーク装置のダウンリンク測定設定に基づいて、対応する参照信号を測定するステップは、
前記参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的であり、且つ参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔを測定するようにトリガーするための第１のダウンリンク制御情報ＤＣＩをネットワーク装置から受信した場合、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定することを含む。
【０１２３】
好ましくは、１つの実施例として、前記ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、前記方法は、
第１のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳであり、且つ第２のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＳＳＢである場合、第１及び第２のＲＳｒｅｓｏｕｒｃｅ  ｓｅｔｔｉｎｇ又はＲＳｒｅｓｏｕｒｃｅ  ｓｅｔに対して対応するＣＳＩ−ＲＳ測定及びＳＳＢ測定を行った後に生成された共同測定結果を決定するステップ、又は／及び
第３のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳ及びＳＳＢを含む場合、第３のＲＳ  ｒｅｓｏｕｒｃｅ  ｓｅｔｔｉｎｇ又はＲＳ  ｒｅｓｏｕｒｃｅ  ｓｅｔに対して対応するＣＳＩ−ＲＳ測定及びＳＳＢ測定を行った後に生成された共同測定結果を決定するステップをさらに含む。
【０１２４】
好ましくは、１つの実施例として、前記ＣＳＩ−ＲＳ測定及びＳＳＢ測定を行った後に生成された共同測定結果を決定するステップは、
ＣＳＩ−ＲＳ測定及びＳＳＢ測定を行った後の各ＲＳＲＰの最大値又は統計的平均値を決定することと、
前記最大値又は統計的平均値に対応する、ＣＲＩ及び／又はＳＳＢＲＩを含む参照信号リソースインデックスＲＳ  ｒｅｓｏｕｒｃｅ  ｉｎｄｅｘを決定することと、
決定された前記ＲＳ  ｒｅｓｏｕｒｃｅ  ｉｎｄｅｘと前記ＲＳ  ｒｅｓｏｕｒｃｅ  ｉｎｄｅｘに対応するＲＳＲＰとを共同測定結果とすることとを含む。
【０１２５】
好ましくは、１つの実施例として、前記共同測定結果を生成するための第１、第２及び／又は第３のＲＳ  ｒｅｓｏｕｒｃｅ  ｓｅｔｔｉｎｇ又はＲＳ  ｒｅｓｏｕｒｃｅ  ｓｅｔは、
ネットワーク装置から受信した設定情報により決定される方式、
端末装置によりプリセットした方式で選択して決定される方式、
ネットワーク装置との間の約束情報により決定される方式のうちの１つにより決定される。
【０１２６】
好ましくは、１つの実施例として、上記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
少なくとも１つの報告設定ｒｅｐｏｒｔ  ｓｅｔｔｉｎｇをトリガーする第２のダウンリンク制御情報ＤＣＩをネットワーク装置から受信した場合、測定報告の内容情報、測定された参照信号リソース関連情報、及び参照信号リソースと測定報告との関連関係情報のうちの少なくとも１種に基づいて、前記測定結果に対する順序付け方式を決定することと、
前記順序付け方式により測定結果を順序付けすることと、
順序付けされた測定結果に基づいて測定報告を生成することとを含む。
【０１２７】
好ましくは、１つの実施例として、前記順序付け方式は、
参照信号リソースと測定報告との関連関係情報におけるｒｅｐｏｒｔ  ｓｅｔｔｉｎｇが関連した１つ以上のＲＳ  ｒｅｓｏｕｒｃｅ  ｓｅｔｔｉｎｇ又は／及びＲＳ  ｒｅｓｏｕｒｃｅ  ｓｅｔの順位付け方式を含む。
【０１２８】
好ましくは、１つの実施例として、上記測定結果に対する順序付け方式を決定するステップは、
ネットワーク装置から受信した順序付け情報に基づいて前記順位付け方式を決定すること、又は
ネットワーク装置との間で約束された順序付け情報に基づいて前記順位付け方式を決定すること、又は
予め記憶された順序付け情報に基づいて前記順序付け方式を決定することを含む。
【０１２９】
好ましくは、１つの実施例として、前記第２のダウンリンク制御情報ＤＣＩは、前記第１のダウンリンク制御情報ＤＣＩと同じである。
【０１３０】
好ましくは、１つの実施例として、前記順序付け方式は、報告設定インデックスｒｅｐｏｒｔ  ｓｅｔｔｉｎｇ  ｉｎｄｅｘ、参照信号リソース設定インデックスＲＳ  ｒｅｓｏｕｒｃｅ  ｓｅｔｔｉｎｇ  ｉｎｄｅｘ、測定報告の内容情報により決定された測定報告内容タイプ、参照信号リソースセットインデックスＲＳ  ｒｅｓｏｕｒｃｅ  ｓｅｔ  ｉｎｄｅｘ、ＲＳ  ｒｅｓｏｕｒｃｅ  ｓｅｔｔｉｎｇにおける参照信号タイプＲＳ  ｔｙｐｅ、ＲＳ  ｒｅｓｏｕｒｃｅ  ｓｅｔにおけるＲＳ  ｔｙｐｅのうちの少なくとも１種に基づいて順序付けすることを含む。
【０１３１】
好ましくは、１つの実施例として、上記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
少なくとも１つの報告設定ｒｅｐｏｒｔ  ｓｅｔｔｉｎｇをトリガーする第３のダウンリンク制御情報ＤＣＩをネットワーク装置から受信した場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することを含む。
【０１３２】
好ましくは、１つの実施例として、前記第３のダウンリンク制御情報ＤＣＩは、前記第１のダウンリンク制御情報ＤＣＩと同じである。
【０１３３】
好ましくは、１つの実施例として、前記少なくとも１つの測定報告を送信する前に、前記方法は、
前記少なくとも１つの測定報告の大きさがアップリンクチャネルの搬送能力を超えた場合、所定のルールに従って一部の測定報告における報告内容を廃棄するステップをさらに含む。
【０１３４】
好ましくは、１つの実施例として、前記所定のルールに従って一部の測定報告における報告内容を廃棄する前に、前記方法は、
ネットワーク装置から受信したルール情報に基づいて前記所定のルールを決定するステップ、又は
ネットワーク装置との間で約束されたルール情報に基づいて前記所定のルールを決定するステップ、又は
予め記憶されたルール情報に基づいて前記所定のルールを決定するステップをさらに含む。
【０１３５】
好ましくは、１つの実施例として、上記所定のルールに従って一部の測定報告における報告内容を廃棄するステップは、
前記報告内容の優先度又は配列順序により一部の測定報告における報告内容を廃棄することを含む。
【０１３６】
本開示の実施例では、ネットワーク装置が送信したダウンリンク測定設定は、測定報告の内容情報、測定された参照信号リソース関連情報、及び参照信号リソースと測定報告との関連関係情報のうちの少なくとも１種を含み、端末装置は、ダウンリンク設定情報を受信した後、測定報告の内容情報に基づいて、測定されるべき参照信号を決定し、且つダウンリンク測定設定に基づいて参照信号を測定することができ、測定結果に対して、端末装置は、測定報告の内容情報、測定された参照信号リソース関連情報、及び参照信号リソースと測定報告との関連関係情報のうちの少なくとも１種に基づいて、少なくとも１つの測定報告を生成し、且つ該測定報告を送信することができるため、端末装置が測定報告を生成する場合及び測定報告をアップロードする場合における曖昧性の問題を解決する。
【０１３７】
好ましくは、本開示の実施例は、プロセッサ１１０１と、メモリ１１０２と、メモリ１１０２に記憶され前記プロセッサ１１０１上で実行でき、プロセッサ１１０１により実行されると、上記測定報告方法の実施例の各ステップを実現し、且つ同じ技術的効果を達成することができるコンピュータプログラムと、を含む端末装置をさらに提供し、重複を避けるため、ここでは説明を省略する。
【０１３８】
図１２を参照して、図１２は、本開示の実施例に係るネットワーク装置の構造図である。図１２に示すように、ネットワーク装置１２００は、プロセッサ１２０１、トランシーバ１２０２、メモリ１２０３、ユーザインタフェース１２０４及びバスインタフェースを含み、また、
本開示の実施例では、ネットワーク装置１２００は、メモリ１２０３に記憶されプロセッサ１２０１上で実行でき、プロセッサ１２０１により実行されると、
測定報告の内容情報、測定された参照信号リソース関連情報、及び参照信号リソースと測定報告との関連関係情報を少なくとも含む、対応する参照信号を測定するためのダウンリンク測定設定を送信するステップを実現するコンピュータプログラムをさらに含む。
【０１３９】
図１２において、バスアーキテクチャは、任意の数の相互接続されたバス及びブリッジを含んでよく、具体的には、プロセッサ１２０１に代表される１つ以上のプロセッサ及びメモリ１２０３に代表されるメモリの様々な回路によって一体に接続される。バスアーキテクチャは、さらに、周辺装置、スタビライザ及びパワー管理回路等の様々なその他の回路を一体に接続してもよく、これらはいずれも本分野において既知のものであるため、本明細書においてさらに説明しない。バスインタフェースは、インタフェースを提供する。トランシーバ１２０２は、複数の部品であってよく、即ち、送信機及び受信機を含み、伝送媒体上で様々な他の装置と通信するためのユニットを提供する。異なるユーザ機器に応じて、ユーザインタフェース１２０４は、必要な機器を外接と内接することができるインタフェースであってよく、接続された機器は、キーパッド、ディスプレイ、スピーカ、マイクロホン、ジョイスティック等を含むが、それらに限定されない。
【０１４０】
プロセッサ１２０１は、バスアーキテクチャ及び一般的な処理の管理を担当し、メモリ１２０３は、プロセッサ１２０１が操作実行時に用いられるデータを記憶してよい。
【０１４１】
本開示の実施例では、ネットワーク装置が送信したダウンリンク測定設定は、測定報告の内容情報、測定された参照信号リソース関連情報、及び参照信号リソースと測定報告との関連関係情報のうちの少なくとも１種を含み、端末装置は、ダウンリンク設定情報を受信した後、測定報告の内容情報に基づいて、測定されるべき参照信号を決定し、且つダウンリンク測定設定に基づいて参照信号を測定することができ、測定結果に対して、端末装置は、測定報告の内容情報、測定された参照信号リソース関連情報、及び参照信号リソースと測定報告との関連関係情報のうちの少なくとも１種に基づいて、少なくとも１つの測定報告を生成し、且つ該測定報告を送信することができるため、端末装置が測定報告を生成する場合及び測定報告をアップロードする場合における曖昧性の問題を解決する。
【０１４２】
好ましくは、コンピュータプログラムは、プロセッサ１２０１により実行されると、
前記参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的である場合、参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定するように端末装置をトリガーするための第１のダウンリンク制御情報ＤＣＩを送信するステップを実現してもよい。
【０１４３】
好ましくは、コンピュータプログラムは、プロセッサ１２０１により実行されると、
端末装置に測定報告の内容情報、測定された参照信号リソース関連情報、及び参照信号リソースと測定報告との関連関係情報のうちの少なくとも１種に基づいて、前記測定結果に対する順序付け方式を決定させるための、少なくとも１つの報告設定ｒｅｐｏｒｔ  ｓｅｔｔｉｎｇをトリガーする第２のダウンリンク制御情報ＤＣＩを送信するステップを実現してもよい。
【０１４４】
好ましくは、コンピュータプログラムは、プロセッサ１２０１により実行されると、
端末装置に前記順序付け方式を決定させる順序付け情報を送信するステップを実現してもよい。
【０１４５】
好ましくは、コンピュータプログラムは、プロセッサ１２０１により実行されると、
端末装置に測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成させるための、少なくとも１つの報告設定ｒｅｐｏｒｔ  ｓｅｔｔｉｎｇをトリガーする第３のダウンリンク制御情報ＤＣＩを送信するステップを実現してもよい。
【０１４６】
好ましくは、コンピュータプログラムは、プロセッサ１２０１により実行されると、
生成した少なくとも１つの測定報告の大きさがアップリンクチャネルの搬送能力を超えた場合、端末装置に一部の測定報告における報告内容を廃棄させるルール情報を送信するステップを実現してもよい。
【０１４７】
好ましくは、本開示の実施例は、プロセッサ１２０１と、メモリ１２０３と、メモリ１２０３に記憶され前記プロセッサ１２０１上で実行でき、プロセッサ１２０１により実行されると、上記測定報告方法の実施例の各ステップを実現し、且つ同じ技術的効果を達成することができるコンピュータプログラムと、を含む、ネットワーク装置をさらに提供し、重複を避けるため、ここでは説明を省略する。
【０１４８】
本開示の実施例は、プロセッサにより実行されると、上記測定報告方法の実施例の各ステップを実現し、且つ同じ技術的効果を達成することができるコンピュータプログラムが記憶されているコンピュータ可読記憶媒体をさらに提供し、重複を避けるため、ここでは説明を省略する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等であってよい。
【０１４９】
なお、本明細書において、用語「含む」、「備える」及びそれらの任意の変形は、非排他的に含むことをカバーするものであることにより、一連の要素を含むプロセス、方法、製品又は機器は、それらの要素を含むだけでなく、明確に例示されていない他の要素をさらに含むか、又はこれらのプロセス、方法、製品又は機器固有の要素をさらに含む。より多くの限定がない場合に、語句「１つの…を含む」により限定された要素は、該要素を含むプロセス、方法、製品又は機器にさらに別の同じ要素が存在することを排除するものではない。
【０１５０】
以上の実施形態の説明により、当業者は、上記実施例の方法がソフトウェア及び必要な汎用ハードウェアプラットフォームを併用した方法で実現でき、当然のことながら、ハードウェアでも実現できるが、多くの場合に前者がより好ましい実施形態であることを明確に理解することができる。このような理解に基づいて、本開示の技術手段は、本質的又は関連技術に寄与する部分が、記憶媒体（例えば、ＲＯＭ／ＲＡＭ、磁気ディスク、光ディスク）内に記憶され、一台の端末（携帯電話、コンピュータ、サーバ、エアコン又はネットワーク装置等であってよい）に本開示の各実施例に係る方法を実行させるための複数の命令を含むソフトウェア製品の形態で具現化されてよい。
【０１５１】
以上で図面を組み合わせて本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形態を行うことができ、これらは、いずれも本開示の保護範囲内に属する。
【符号の説明】
【０１５２】
７００  端末装置
７２０  測定モジュール
７４０  生成モジュール
７５０  決定モジュール
７５１  廃棄モジュール
７６０  報告送信モジュール
１０００  ネットワーク装置
１１００  送信モジュール
１１００  端末装置
１１０１  プロセッサ
１１０２  メモリ
１１０３  ユーザインタフェース
１１０４  ネットワークインタフェース
１１０５  バスシステム
１２００  ネットワーク装置
１２０１  プロセッサ
１２０２  トランシーバ
１２０３  メモリ
１２０４  ユーザインタフェース
１１０２１  オペレーティングシステム
１１０２２  アプリケーションプログラム
【図１】
2021519001.tif 000003
【図２】
2021519001.tif 000004
【図３】
2021519001.tif 000005
【図４】
2021519001.tif 000006
【図５】
2021519001.tif 000007
【図６】
2021519001.tif 000008
【図７】
2021519001.tif 000009
【図８】
2021519001.tif 000010
【図９】
2021519001.tif 000011
【図１０】
2021519001.tif 000012
【図１１】
2021519001.tif 000013
【図１２】
2021519001.tif 000014
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
端末装置に応用される測定報告方法であって、
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定するステップと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップと、
前記少なくとも１つの測定報告を送信するステップとを含む、測定報告方法。
【請求項２】
前記測定報告の内容情報は、測定報告の内容タイプを少なくとも含み、
前記内容タイプは、
チャネル状態情報参照信号ＣＳＩ−ＲＳ又は／及び同期信号ブロックＳＳＢ測定に基づくビーム報告、及び
ＣＳＩ−ＲＳ測定に基づくチャネル状態情報ＣＳＩ報告のうちの少なくとも１つを少なくとも含む、請求項１に記載の測定報告方法。
【請求項３】
前記ネットワーク装置のダウンリンク測定設定に基づいて、対応する参照信号を測定するステップは、
前記参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的であり、且つ参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔを測定するようにトリガーするための第１のダウンリンク制御情報ＤＣＩをネットワーク装置から受信した場合、ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定することを含む、請求項１に記載の測定報告方法。
【請求項４】
前記ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、前記測定報告方法は、
第１のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳであり、且つ第２のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＳＳＢである場合、第１及び第２のＲＳｒｅｓｏｕｒｃｅ  ｓｅｔｔｉｎｇ又はＲＳｒｅｓｏｕｒｃｅ  ｓｅｔに対して対応するＣＳＩ−ＲＳ測定及びＳＳＢ測定を行った後に生成された共同測定結果を決定するステップ、又は
第３のＲＳ  ｒｅｓｏｕｒｃｅ  ｓｅｔｔｉｎｇ又はＲＳ  ｒｅｓｏｕｒｃｅ  ｓｅｔにおける対応するＲＳタイプがＣＳＩ−ＲＳ及びＳＳＢを含む場合、第３のＲＳ  ｒｅｓｏｕｒｃｅ  ｓｅｔｔｉｎｇ又はＲＳ  ｒｅｓｏｕｒｃｅ  ｓｅｔに対して対応するＣＳＩ−ＲＳ測定及びＳＳＢ測定を行った後に生成された共同測定結果を決定するステップをさらに含む、請求項３に記載の測定報告方法。
【請求項５】
前記ＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定した後、前記測定報告方法は、
前記測定報告の内容情報において設定された測定報告の内容タイプがビーム報告であり、且つ設定された前記ビーム報告における報告内容がＳＳＢＲＩ及び対応するＲＳＲＰである場合、ＲＳ  ｒｅｓｏｕｒｃｅ  ｓｅｔｔｉｎｇ又はＲＳ  ｒｅｓｏｕｒｃｅ  ｓｅｔにおけるＳＳＢ及びＣＳＩ−ＲＳの測定結果を共同計算するステップをさらに含み、
前記共同計算を行うＳＳＢとＣＳＩ−ＲＳは、空間的疑似コロケーション関係を有する、請求項３に記載の測定報告方法。
【請求項６】
前記共同測定結果を生成するための第１、第２及び／又は第３のＲＳ  ｒｅｓｏｕｒｃｅ  ｓｅｔｔｉｎｇ又はＲＳ  ｒｅｓｏｕｒｃｅ  ｓｅｔは、
ネットワーク装置から受信した設定情報により決定される方式、
端末装置によりプリセットした方式で選択して決定される方式、又は
ネットワーク装置との間の約束情報により決定される方式のうちの１つにより決定される、請求項４に記載の測定報告方法。
【請求項７】
前記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
少なくとも１つの報告設定ｒｅｐｏｒｔ  ｓｅｔｔｉｎｇをトリガーする第２のダウンリンク制御情報ＤＣＩをネットワーク装置から受信した場合、測定報告の内容情報、測定された参照信号リソース関連情報、及び参照信号リソースと測定報告との関連関係情報のうちの少なくとも１種に基づいて、前記測定結果に対する順序付け方式を決定することと、
前記順序付け方式により測定結果を順序付けすることと、
順序付けされた測定結果に基づいて測定報告を生成することとを含む、請求項３に記載の測定報告方法。
【請求項８】
前記順序付け方式は、
参照信号リソースと測定報告との関連関係情報におけるｒｅｐｏｒｔ  ｓｅｔｔｉｎｇが関連した１つ以上のＲＳ  ｒｅｓｏｕｒｃｅ  ｓｅｔｔｉｎｇ又は／及びＲＳ  ｒｅｓｏｕｒｃｅ  ｓｅｔの順位付け方式を含み、または、
前記順序付け方式は、報告設定インデックスｒｅｐｏｒｔ  ｓｅｔｔｉｎｇ  ｉｎｄｅｘ、参照信号リソース設定インデックスＲＳ  ｒｅｓｏｕｒｃｅ  ｓｅｔｔｉｎｇ  ｉｎｄｅｘ、測定報告の内容情報により決定された測定報告内容タイプ、参照信号リソースセットインデックスＲＳ  ｒｅｓｏｕｒｃｅ  ｓｅｔ  ｉｎｄｅｘ、ＲＳ  ｒｅｓｏｕｒｃｅ  ｓｅｔｔｉｎｇにおける参照信号タイプＲＳ  ｔｙｐｅ、ＲＳ  ｒｅｓｏｕｒｃｅ  ｓｅｔにおけるＲＳ  ｔｙｐｅのうちの少なくとも１種に基づいて順序付けすることを含む、請求項７に記載の測定報告方法。
【請求項９】
前記測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成するステップは、
少なくとも１つの報告設定ｒｅｐｏｒｔ  ｓｅｔｔｉｎｇをトリガーする第３のダウンリンク制御情報ＤＣＩをネットワーク装置から受信した場合、測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成することを含み、
前記第３のダウンリンク制御情報ＤＣＩは、前記第１のダウンリンク制御情報ＤＣＩと同じである、請求項３に記載の測定報告方法。
【請求項１０】
前記少なくとも１つの測定報告を送信する前に、前記測定報告方法は、
前記少なくとも１つの測定報告の大きさがアップリンクチャネルの搬送能力を超えた場合、所定のルールに従って一部の測定報告における報告内容を廃棄するステップをさらに含み、
前記所定のルールに従って一部の測定報告における報告内容を廃棄する前に、前記測定報告方法は、
ネットワーク装置から受信したルール情報に基づいて前記所定のルールを決定するステップ、又は
ネットワーク装置との間で約束されたルール情報に基づいて前記所定のルールを決定するステップ、又は
予め記憶されたルール情報に基づいて前記所定のルールを決定するステップをさらに含み、または、
前記所定のルールに従って一部の測定報告における報告内容を廃棄するステップは、
前記報告内容の優先度又は配列順序により一部の測定報告における報告内容を廃棄することを含む、請求項１〜９のいずれか１項に記載の測定報告方法。
【請求項１１】
ネットワーク装置に応用される測定報告方法であって、
測定報告の内容情報、測定された参照信号リソース関連情報、及び参照信号リソースと測定報告との関連関係情報を少なくとも含む、対応する参照信号を測定するためのダウンリンク測定設定を送信するステップを含む測定報告方法。
【請求項１２】
前記参照信号リソース関連情報において設定されたＲＳ  ｒｅｓｏｕｒｃｅ  ｓｅｔｔｉｎｇ及びＲＳ  ｒｅｓｏｕｒｃｅ  ｓｅｔの時間領域送信方式がいずれも非周期的である場合、参照信号リソース関連情報において設定されたＲＳ  ｒｅｓｏｕｒｃｅ  ｓｅｔｔｉｎｇ又は／及びＲＳ  ｒｅｓｏｕｒｃｅ  ｓｅｔにおける対応する参照信号を測定するように端末装置をトリガーするための第１のダウンリンク制御情報ＤＣＩを送信するステップをさらに含む、請求項１１に記載の測定報告方法。
【請求項１３】
端末装置に測定報告の内容情報、測定された参照信号リソース関連情報、及び参照信号リソースと測定報告との関連関係情報のうちの少なくとも１種に基づいて、前記測定結果に対する順序付け方式を決定させるための、少なくとも１つの報告設定ｒｅｐｏｒｔ  ｓｅｔｔｉｎｇをトリガーする第２のダウンリンク制御情報ＤＣＩを送信するステップと、
端末装置に前記順序付け方式を決定させる順序付け情報を送信するステップをさらに含み、または、
端末装置に測定報告の内容情報に基づいて各ＲＳ  ｒｅｓｏｕｒｃｅ  ｓｅｔｔｉｎｇ又は／及びＲＳ  ｒｅｓｏｕｒｃｅ  ｓｅｔにおける参照信号の測定結果に対してそれぞれ測定報告を生成させるための、少なくとも１つの報告設定ｒｅｐｏｒｔ  ｓｅｔｔｉｎｇをトリガーする第３のダウンリンク制御情報ＤＣＩを送信するステップをさらに含む、請求項１２に記載の測定報告方法。
【請求項１４】
測定報告の内容情報、測定された参照信号リソース関連情報、及び参照信号リソースと測定報告との関連関係情報のうちの少なくとも１種を含む、ネットワーク装置のダウンリンク測定設定に基づいて、対応する参照信号を測定する測定モジュールと、
測定報告の内容情報、測定された参照信号リソース関連情報、及び参照信号リソースと測定報告との関連関係情報のうちの少なくとも１種、および参照信号に対する測定結果に基づいて、少なくとも１つの測定報告を生成する生成モジュールと、
前記少なくとも１つの測定報告を送信する報告送信モジュールと、を含む端末装置。
【請求項１５】
測定報告の内容情報、測定された参照信号リソース関連情報、及び参照信号リソースと測定報告との関連関係情報を少なくとも含む、対応する参照信号を測定するためのダウンリンク測定設定を送信する送信モジュールを含むネットワーク装置。
【国際調査報告】
2021519001.tif 000015
2021519001.tif 000016
2021519001.tif 000017
2021519001.tif 000018